(57)【特許請求の範囲】
【請求項１】
記録再生可能な情報媒体に所定フォーマットのデータ形式で静止画を含む映像情報を記録するものにおいて、
静止画を連続して取り込む静止画連続取込モードを指定するモード指定手段と；
１以上の静止画情報を含む映像情報を受信する映像情報受信手段と；
前記モード指定手段により前記静止画連続取込モードが指定されると、前記映像情報受信手段で受信された前記映像情報の映像内容をチェックし、この映像内容に変化が生じたらその変化を検知する映像変化検知手段と；
前記映像変化検知手段が変化を検知した映像内容に相当する１フレームまたは１フィールドの静止画情報を、ＭＰＥＧのＩピクチャにエンコードするエンコード手段と；
前記エンコード手段でエンコードされたＩピクチャを含むデジタル情報を、前記所定フォーマットのデータ形式に変換するデータ形式変換手段と；
複数の前記静止画を、静止画グループ毎にまとめる管理情報を作成する管理情報作成手段と
を具備したことを特徴とするデジタル映像情報装置。
【請求項２】
記録再生可能な情報媒体に所定フォーマットのデータ形式で静止画を含む映像情報を記録するものにおいて、
静止画を連続して取り込む静止画連続取込モードを指定するモード指定手段と；
１以上の静止画情報を含む映像情報を受信する映像情報受信手段と；
前記モード指定手段により前記静止画連続取込モードが指定されると、前記映像情報受信手段で受信された前記映像情報の映像内容をチェックし、この映像内容に変化が生じたらその変化を検知する映像変化検知手段と；
前記映像変化検知手段が映像内容変化を検知した後、前記映像情報に含まれる映像フレームが指定フレーム数分経過したかどうかをチェックし、指定フレーム数分経過したらこのフレーム経過を検知する指定フレーム経過検知手段と；
前記指定フレーム経過検知手段が指定フレーム数経過を検知したときの映像内容に相当する１フレームまたは１フィールドの静止画情報を、ＭＰＥＧのＩピクチャにエンコードするエンコード手段と；
前記エンコード手段でエンコードされたＩピクチャを含むデジタル情報を、前記所定フォーマットのデータ形式に変換するデータ形式変換手段と；
複数の前記静止画を、静止画グループ毎にまとめる管理情報を作成する管理情報作成手段と
を具備したことを特徴とするデジタル映像情報装置。
【請求項３】
記録再生可能な情報媒体に所定フォーマットのデータ形式で静止画を含む映像情報を記録するものにおいて、
静止画を連続して取り込む静止画連続取込モードを指定するモード指定手段と；
１以上の静止画情報を含む映像情報を受信する映像情報受信手段と；
前記モード指定手段により前記静止画連続取込モードが指定されると、前記映像情報受信手段で受信された前記映像情報の映像内容をチェックし、この映像内容に変化が生じたらその変化を検知する映像変化検知手段と；
前記映像変化検知手段が映像内容変化を検知した後、前記映像情報に含まれる同じ内容の映像フレームが所定数連続したかどうかをチェックし、同じ内容の映像フレームが所定数連続したら同一フレーム連続を検知する同一フレーム連続検知手段と；
前記同一フレーム連続検知手段が同一フレーム連続を検知したときの映像内容に相当する１フレームまたは１フィールドの静止画情報を、ＭＰＥＧのＩピクチャにエンコードするエンコード手段と；
前記エンコード手段でエンコードされたＩピクチャを含むデジタル情報を、前記所定フォーマットのデータ形式に変換するデータ形式変換手段と；
複数の前記静止画を、静止画グループ毎にまとめる管理情報を作成する管理情報作成手段と
を具備したことを特徴とするデジタル映像情報装置。
【請求項４】
日時データを入力するキー入力部と、前記キー入力部で入力された日時データを記録日時の管理情報として設定する記録日時設定部とをさらに具備したことを特徴とする請求項１ないし請求項３のいずれか１項に記載の装置。
【請求項５】
前記変換手段で変換されたデータ形式の情報を前記情報媒体に記録する記録手段をさらに具備したことを特徴とする請求項１ないし請求項４のいずれか１項に記載の装置。
【請求項６】
前記情報媒体から記録情報を再生する再生手段をさらに具備したことを特徴とする請求項１ないし請求項５のいずれか１項に記載の装置。
【請求項７】
記録再生可能な情報媒体に所定フォーマットのデータ形式で静止画を含む映像情報を記録する方法において、
静止画を連続して取り込む静止画連続取込モードを指定し；
１以上の静止画情報を含む映像情報を受信し；
前記静止画連続取込モードが指定されると、受信された前記映像情報の映像内容をチェックして、この映像内容に変化が生じたらその変化を検知し；
前記変化を検知した前記映像内容に相当する１フレームまたは１フィールドの静止画情報を、ＭＰＥＧのＩピクチャにエンコードし；
前記エンコードされたＩピクチャを含むデジタル情報を、前記所定フォーマットのデータ形式に変換し；
複数の前記静止画を、静止画グループ毎にまとめる管理情報を作成するように構成した
ことを特徴とする複数静止画記録方法。
【請求項８】
前記情報媒体の前記データ記録エリアに連続して記録された前記複数静止画の枚数が前記静止画グループの設定において定められた前記所定枚数に達したときに、前記連続記録された複数静止画に関する情報を、前記管理情報に登録することを特徴とする請求項７に記載の方法。
【請求項９】
前記情報媒体の前記データ記録エリアに連続して記録された前記複数静止画の記録時間が変化したときに、前記連続記録された複数静止画に関する情報を、前記管理情報に登録することを特徴とする請求項７または請求項８に記載の方法。
【請求項１０】
前記情報媒体の前記データ記録エリアに連続して記録された前記複数静止画の記録時間が所定の時間に達したときに、前記連続記録された複数静止画に関する情報を、前記管理情報に登録することを特徴とする請求項７ないし請求項９のいずれか１項に記載の方法。
【請求項１１】
前記情報媒体の前記データ記録エリアに対する前記複数静止画の連続記録がユーザ操作により切り替えられたときに、前記連続記録された複数静止画に関する情報を、前記管理情報に登録することを特徴とする請求項７ないし請求項１０のいずれか１項に記載の方法。
【請求項１２】
前記情報媒体の前記データ記録エリアに記録される前記複数静止画のソースの属性が変化したときに、前記連続記録された複数静止画に関する情報を、前記管理情報に登録することを特徴とする請求項７ないし請求項１０のいずれか１項に記載の方法。
【発明の詳細な説明】
【０００１】
【発明の属する技術分野】
この発明は、静止画の連続取り込み機能を備えたデジタル映像情報装置に関する。
【０００２】
【従来の技術】
現在、ビデオ（動画映像）のデジタル記録／再生にＭＰＥＧ２（ムービングピクチャエキスパートグループ２）方式を利用し、オーディオ（音声）のデジタル記録／再生にＡＣー３（デジタルオーディオコンプレッション３）方式等を利用したＤＶＤビデオ規格がまとまり、この規格を利用した種々な再生機器（ＤＶＤビデオプレーヤ）が市販されている。
【０００３】
このＤＶＤビデオ規格は、ＭＰＥＧ２システムレイヤに従って、動画圧縮方式としてはＭＰＥＧ２、音声記録方式としてはリニアＰＣＭの他にＡＣー３オーディオおよびＭＰＥＧオーディオをサポートしている。また、このＤＶＤビデオ規格は、字幕用に副映像データ、早送り巻き戻しデータサーチ等の再生制御用にナビゲーションデータ、コンピュータ対応用にＩＳＯ９６６０およびＵＤＦブリッジフォーマットもサポートしている。
【０００４】
さらに、書込可能なＤＶＤディスク（リード・ライト可能なＤＶＤ−ＲＡＭ、書替可能なＤＶＤ−ＲＷ、あるいはライトワンスのＤＶＤ−Ｒ）の開発もなされ、書込可能ＤＶＤディスクを利用したデジタル映像情報の記録再生機器（従来のアナログビデオカセットレコーダに取って代わるデジタルビデオディスクレコーダ）の開発が可能な環境ができ上がっている。
【０００５】
以上の状況から、リアルタイムでビデオ映像等のデジタル記録・再生を行うため、ＤＶＤ用のリアルタイムレコーディング規格（ＲＴＲ−ＤＶＤ規格）が提案され、正式の規格としてまとまりつつある。このＲＴＲ−ＤＶＤ規格は、正式規格として既にマーケットに受け入れられているＤＶＤビデオ規格を元に考えられており、このＲＴＲ−ＤＶＤ規格に対応したファイルシステムも現在規格化進行中である。
【０００６】
【発明が解決しようとする課題】
ところで、ＲＴＲ−ＤＶＤ規格では、静止画（スチルピクチャ）を、最大６３９３６枚（＝スチルセルの最大数９９９×ビデオオブジェクトグループ内の最大枚数６４）記録できる。この静止画のソースとしては、電子スチルカメラ（デジタルカメラ）などが考えられる。この電子スチルカメラでは、撮影した静止画の記録媒体としてＩＣカードなどの半導体メモリが使用されている。
【０００７】
一方、ＲＴＲ−ＤＶＤビデオレコーダには光ディスクなどのディスク媒体が使用される。すなわち、電子スチルカメラとＲＴＲ−ＤＶＤビデオレコーダとでは使用する記録媒体が違う。このため、電子スチルカメラで作成した静止画データをＲＴＲ−ＤＶＤビデオレコーダに直接取り込むことは簡単ではない。
【０００８】
また、ビデオ信号（通常の動画ビデオ信号、あるいは電子スチルカメラもしくはデジタルビデオムービーで作成した複数静止画群を含むビデオ信号）から複数の静止画を取り込む場合においても、映像内容が変わる度にユーザが１枚１枚の取り込み静止画を選択・設定しなければならず、非常に手間がかかるという問題点がある。
【０００９】
この発明は上記事情に鑑みなされたもので、ユーザが１枚１枚の取り込み静止画を逐一選択・設定しなくても、ビデオ信号から複数静止画を連続的に取り込むことができる静止画連続取込機能付きデジタル映像情報装置を提供することを目的とする。
【００１０】
この発明の他の目的は、ユーザが１枚１枚の取り込み静止画を逐一選択・設定しなくても、ビデオ信号から複数静止画を連続的に取り込んで記録する複数静止画記録方法を提供することである。
【００１１】
【課題を解決するための手段】
上記目的を達成するために、この発明に係るデジタル映像情報装置は、静止画連続取り込みモードを指定するキー入力部（６０７）と；この静止画連続取り込みモードに移行後、入力されたビデオ信号より、取り込んだフレームが前のフレームと映像内容が違うことを検知するフレーム変化検知部（６０４）と；この検知部からの情報を元に、取り込んだフレームデータをＭＰＥＧのＩピクチャに圧縮し、ＲＴＲ−ＤＶＤ規格で指定されているパック構造を生成するエンコーダ部（６０１）と；このエンコーダ部で生成されたＩピクチャに関する情報から再生管理情報（Ｓ＿ＶＯＧ＿ＧＩ）を作成する再生管理情報作成部（６０４）とにより構成されている。
【００１２】
また、上記他の目的を達成するために、この発明に係る複数静止画記録方法では、所定枚数（６４枚）以内の複数静止画の静止画グループ（ＶＯＧ）を設定し（図１４のＳＴ１１４；図１８のＳＴ２１４）；前記映像情報の録画開始後（図１４のＳＴ１１６イエス；図１８のＳＴ２１６イエス）、前記映像情報に含まれる前記複数静止画の記録を前記情報媒体（１００）の前記データ記録エリアに対して連続的に行い（図１４のＳＴ１１８を含む録画処理ループ；図１８のＳＴ２１８を含む録画処理ループ）；記録された前記複数静止画を、前記静止画グループ（ＶＯＧ）毎にまとめる管理情報（ＶＯＧ情報；図１３のＳ＿ＶＯＧ＿ＧＩ）を作成し（図１４のＳＴ１２０；図１９のＳＴ２２０）；前記複数静止画の記録が行われた前記情報媒体（１００）の管理情報記録エリア（ＶＭＧ／Ｓ＿ＡＶＦＩＴ）に、前記作成された管理情報（Ｓ＿ＶＯＧ＿ＧＩ）を書き込む（図１４のＳＴ１４０；図２０のＳＴ１４０）ようにしている。
【００１３】
こうすることで、スライドショーのように連続再生される複数の静止画を含むビデオ信号から複数静止画を自動的に連続的に取り込み、ＲＴＲ−ＤＶＤフォーマットで記録するシステムを構築することができる。
【００１４】
【発明の実施の形態】
以下、図面を参照して、この発明の一実施の形態に係る静止画連続取込機能付きデジタル映像情報装置を説明する。
【００１５】
図１は、この発明の一実施の形態に係る静止画連続取込機能付きデジタル映像情報装置（ＲＴＲ−ＤＶＤビデオレコーダ）の全体構成を説明するブロック図である。
【００１６】
図１に示すＲＴＲ−ＤＶＤビデオレコーダの装置本体は、大まかにいって、ＤＶＤーＲＡＭ、ＤＶＤ−ＲＷまたはＤＶＤーＲ等の録再可能光ディスク１００を回転駆動し、このディスク１００に対して情報の読み書きを実行するディスクドライブ部６０９と、録画側を構成するエンコーダ部６０１と、再生側を構成するデコーダ部６０２と、装置全体の動作を制御するメインＭＰＵ部６０４とで構成されている。
【００１７】
さらに、ディスクドライブ部６０９とメインＭＰＵ部６０４とを結ぶデータバスには、大容量（たとえば３０ＧＢ〜１００ＧＢあるいはそれ以上）で高速な（データ転送レートがＩＥＥＥ１３９４シリアルバスと同等以上；具体的には４００Ｍｐｂｓ〜５００Ｍｂｐｓクラス）ハードディスクドライブ（ＨＤＤ）を利用したレコーダユニット７００を接続しておくことができる。
【００１８】
この大容量高速ＨＤＤレコーダユニット７００は、この発明の実施の形態によっては必ずしも必要ではないが、ＤＶＤ−ＲＡＭ等のディスクドライブ部６０９とＨＤＤレコーダユニット７００とを一体化しておくと、たとえば以下のようなことが可能になる。
【００１９】
すなわち、ＴＶ放送番組等をＨＤＤレコーダユニット７００でエアチェックする。エアチェックした番組のうち、ユーザが消したくないと思う番組（コピー制限がされていない番組コンテンツ）が幾つかあれば、それらを適宜繋ぎ編集設定した後、ＤＶＤ−ＲＡＭディスク、ＤＶＤ−ＲＷディスク、あるいはＤＶＤ−Ｒディスクにコピー（バックアップ）する。すると、ＨＤＤレコーダユニット７００でエアチェックした所望番組の永久保存が可能となり、その一方で、ディスクにコピーした分をＨＤＤレコーダユニット７００から消去可能にできる（コピーした番組のファイルをごみ箱アイコンに捨てるなど）。そうすれば、ごみ箱アイコンに捨てたファイルサイズ分だけ、ＨＤＤレコーダユニット７００に、その後の録画スペースを余分に確保できるようになる。
【００２０】
あるいは、たとえば４．７ＧＢ容量のＤＶＤ−ＲＡＭディスク１枚に収まりきらない長時間ＴＶ番組のエアチェックは大容量（空き容量がたとえば３０ＧＢ）ＨＤＤレコーダユニット７００で行い、エアチェックした長時間番組を後にＨＤＤレコーダユニット７００から複数枚のＤＶＤ−ＲＡＭディスクにコピーすることもできる。このようにすれば、ディスク交換（あるいは録画用ディスクの切替）に要する期間中（数秒〜数十秒程度）に生じるエアチェック漏れを防止できる。
【００２１】
あるいは、ＨＤＤレコーダユニット７００にＤＶＤ−ＶＲビデオ信号、ＤＶＤ−ＡＲオーディオ信号、ＤＶＤ−ＳＲストリーム信号を任意に混在記録しておく。そして、後に、ＨＤＤレコーダユニット７００からＤＶＤ−ＶＲビデオ信号だけをあるＤＶＤ−ＲＡＭディスクにコピーし、ＤＶＤ−ＡＲオーディオ信号だけを他のＤＶＤ−ＲＡＭディスクにコピーし、ＤＶＤ−ＳＲストリーム信号だけをさらに他のＤＶＤ−ＲＡＭディスクにコピーする、といったこともできる。
【００２２】
なお、図１の装置にＨＤＤレコーダユニット７００を内蔵せず、この装置を光ディスクレコーダ専用の構成とし、この装置にＨＤＤレコーダユニット７００接続用のＩＥＥＥ１３９４インターフェイス（あるいはＨＤＤレコーダユニットを後に装着するためのスペースとその接続スロット）を設けるようにしてもよい。
【００２３】
図１のエンコーダ部６０１は、Ａ／Ｄ変換部６１４と、ビデオエンコード部６１６と、オーディオエンコード部６１７と、副映像（ＳＰ）エンコード部６１８と、フォーマッタ部６１９と、バッファメモリ部６２０とを備えている。
【００２４】
Ａ／Ｄ変換部６１４には、ＡＶ入力部６１２からの外部アナログビデオ信号＋外部アナログオーディオ信号、あるいはＴＶチューナ部６１３からのアナログＴＶ信号＋アナログ音声信号等が入力される。このＡ／Ｄ変換部６１４は、入力されたアナログビデオ信号を、たとえばサンプリング周波数１３．５ＭＨｚ、量子化ビット数８ビットでデジタル化する。同様に、Ａ／Ｄ変換部６１４は、入力されたアナログオーディオ信号を、たとえばサンプリング周波数４８ｋＨｚ、量子化ビット数１６ビットでデジタル化する。
【００２５】
なお、Ａ／Ｄ変換部６１４にアナログビデオ信号およびデジタルオーディオ信号が入力されるときは、Ａ／Ｄ変換部６１４はデジタルオーディオ信号をスルーパスさせる。一方、Ａ／Ｄ変換部６１４にデジタルビデオ信号およびデジタルオーディオ信号が入力されるときは、Ａ／Ｄ変換部６１４はデジタルビデオ信号およびデジタルオーディオ信号をスルーパスさせる。
【００２６】
Ａ／Ｄ変換部６１４からのデジタルビデオ信号成分は、ビデオエンコード部６１６を介してフォーマッタ部６１９に送られる。また、Ａ／Ｄ変換部６１４からのデジタルオーディオ信号成分は、オーディオエンコード部６１７を介してフォーマッタ部６１９に送られる。
【００２７】
ビデオエンコード部６１６は、入力されたデジタルビデオ信号を、ＭＰＥＧ２（またはＭＰＥＧ１）規格に基づき、可変ビットレートで圧縮されたデジタル信号に変換する機能を持つ。また、オーディオエンコード部６１７は、入力されたデジタルオーディオ信号を、ＭＰＥＧまたはＡＣ−３規格に基づき、固定ビットレートで圧縮されたデジタル信号（またはリニアＰＣＭのデジタル信号）に変換する機能を持つ。
【００２８】
ＤＶＤビデオ信号がＡＶ入力部６１２から入力された場合、あるいはＤＶＤビデオ信号が放送されそれがＴＶチューナ部６１３で受信された場合は、ＤＶＤビデオ信号中の文字放送信号成分（あるいはクローズドキャプションＣＣ）が、ＳＰエンコード部６１８に入力される。ＳＰエンコード部６１８に入力された副映像データは、所定の信号形態にアレンジされて、フォーマッタ部６１９に送られる。
【００２９】
フォーマッタ部６１９は、バッファメモリ部６２０をワークエリアとして使用しながら、入力されたビデオ信号、オーディオ信号、副映像信号等に対して所定の信号処理を行い、所定のフォーマット（ファイル構造）に合致した記録データをデータプロセサ部（Ｄ−ＰＲＯ部）６１０に出力する。
【００３０】
ここで、上記記録データを作成するための標準的なエンコード処理内容を簡単に説明しておく。すなわち、図１のエンコーダ部６０１においてエンコード処理が開始されると、ビデオデータその他のエンコードにあたって必要なパラメータが設定される。次に、設定されたパラメータを利用して主映像データがプリエンコードされ、設定された平均転送レート（記録レート）に最適な符号量の分配が計算される。こうしてプリエンコードで得られた符号量分配に基づき、主映像のエンコードが実行される。このとき、オーディオデータのエンコードも同時に実行される。
【００３１】
プリエンコードの結果、データ圧縮量が不十分な場合（録画しようとするＤＶＤーＲＡＭディスク、ＤＶＤ−ＲＷディスク、ＤＶＤーＲディスク、またはＨＤＤレコーダユニット７００に希望のビデオプログラムが収まり切らない場合）、再度プリエンコードする機会を持てるなら（たとえば録画のソースがビデオテープあるいはビデオディスクなどの反復再生可能なソースであれば）、主映像データの部分的な再エンコードが実行され、再エンコードした部分の主映像データがそれ以前にプリエンコードした主映像データ部分と置換される。このような一連の処理によって、主映像データおよびオーディオデータがエンコードされ、記録に必要な平均ビットレートの値が、大幅に低減される。
【００３２】
同様に、副映像データをエンコードするに必要なパラメータが設定され、エンコードされた副映像データが作成される。
【００３３】
以上のようにしてエンコードされた主映像データ、オーディオデータおよび副映像データが組み合わされて、ＲＴＲ−ＤＶＤビデオの構造に変換される。
【００３４】
エンコードされた主映像データ、オーディオデータおよび副映像データは、図３の下段に示すような一定サイズ（２０４８バイト）のパックに細分化される。これらのパックには、図示しないダミーパックが適宜挿入される。なお、ダミーパック以外のパック内には、適宜、ＰＴＳ（プレゼンテーションタイムスタンプ）、ＤＴＳ（デコードタイムスタンプ）等のタイムスタンプが記述される。副映像のＰＴＳについては、同じ再生時間帯の主映像データあるいはオーディオデータのＰＴＳより任意に遅延させた時間を記述することができる。
【００３５】
そして、各データのタイムコード順に再生可能なように、ビデオオブジェクトユニット（ＶＯＢＵ）単位で各データセルが配置されて、複数のセルで構成されるＶＯＢが構成される。このＶＯＢを１以上まとめたＶＲ＿ＭＯＶＩＥ．ＶＲＯファイル、ＶＲ＿ＳＴＩＬＬ．ＶＲＯファイル、ＶＲ＿ＡＵＤＩＯ．ＶＲＯファイル等が、図２のディレクトリ構造でフォーマットされる。
【００３６】
なお、ＤＶＤビデオの再生信号をデジタルコピーできる場合は、セル、プログラムチェーン、管理テーブル、タイムスタンプ等の内容は初めから決まっているので、これらを改めて作成する必要はない。ただし、ＤＶＤ再生信号をデジタルコピーできるようにＲＴＲ−ＤＶＤビデオレコーダを構成するには、適切な著作権保護手段が講じられている必要がある。
【００３７】
ＤＶＤディスク（ＤＶＤ−ＲＡＭ、ＤＶＤ−ＲＷ、ＤＶＤ−Ｒ、ＤＶＤ−ＲＯＭ）１００に対して情報の読み書き（録画および／または再生）を実行するディスクドライブ部６０９には、Ｄ−ＰＲＯ部６１０、一時記憶部６１１、システムタイムカウンタ（またはシステムタイムクロック）ＳＴＣ部６５０等が接続されている。
【００３８】
Ｄ−ＰＲＯ部６１０は、メインＭＰＵ部６０４の制御にしたがって、エンコーダ部６０１からのＲＴＲ−ＤＶＤ記録データをディスクドライブ部６０９および／またはＨＤＤレコーダユニット７００に供給したり、ディスク１００あるいはＨＤＤレコーダユニット７００からＲＴＲ−ＤＶＤ再生信号を取り出したり、ディスク１００に記録された管理情報（図２のファイルデータの一部）を書き換えたり、ディスク１００に記録されたデータ（ファイルの一部あるいは全部）の削除（ごみ箱アイコンにファイルを捨てる処理）をしたりする。
【００３９】
一時記憶部６１１は、ディスクドライブ部６０９を介してディスク１００に書き込まれるデータ（エンコーダ部６０１から出力されるデータ）のうちの一定量分をバッファリングしたり、ディスクドライブ部６０９を介してディスク１００から再生されたデータ（デコーダ部６０２に入力されるデータ）のうちの一定量分をバッファリングするのに利用される。
【００４０】
たとえば一時記憶部６１１が４Ｍバイトの半導体メモリ（ＤＲＡＭ）で構成されるときは、平均４Ｍｂｐｓの記録レートでおよそ８秒分の記録または再生データのバッファリングが可能である。また、一時記憶部６１１が１６ＭバイトのＥＥＰＲＯＭ（フラッシュメモリ）で構成されるときは、平均４Ｍｂｐｓの記録レートでおよそ３０秒の記録または再生データのバッファリングが可能である。さらに、たとえばＨＤＤレコーダユニット７００の記録エリアの一部を、再生データのバッファリングに利用することも可能である。
【００４１】
一時記憶部６１１（あるいはＨＤＤレコーダユニット７００）は、録画途中でディスク１００を使い切ってしまった場合において、ディスク１００が新しいディスクに交換されるまでの録画情報を一時記憶しておくことに利用できる。
【００４２】
また、一時記憶部６１１は、ディスクドライブ部６０９として高速ドライブ（２倍速以上）を採用した場合において、一定時間内に通常ドライブより余分に読み出されたデータを一時記憶しておくことにも利用できる。再生時の読み取りデータを一時記憶部６１１にバッファリングしておけば、振動ショック等で図示しない光ピックアップが読み取りエラーを起こしたときでも、一時記憶部６１１にバッファリングされた再生データを切り替え使用することによって、再生映像が途切れないようにできる。
【００４３】
図１では図示しないが、ＲＴＲ−ＤＶＤビデオレコーダに外部カードスロットを設けておけば、上記ＥＥＰＲＯＭはオプションのＩＣカードとして別売できる。また、ＲＴＲ−ＤＶＤビデオレコーダに外部ドライブスロットあるいはＵＳＢインターフェイスを設けておけば、上記ＨＤＤもオプションの拡張ドライブとして別売できる。
【００４４】
なお、ＤＶＤ−ＲＡＭドライブ付のパーソナルコンピュータをソフトウエアでＲＴＲ−ＤＶＤビデオレコーダ化する場合（図示せず）では、パーソナルコンピュータ自身のハードディスクドライブの空き領域の一部またはメインメモリの一部を、図１の一時記憶部６１１として利用できる。
【００４５】
図１のメインＭＰＵ部６０４は、その心臓部であるマイクロコンピュータ（ＭＰＵまたはＣＰＵ）の他に、制御プログラム（図１４〜図２３の処理）等が書き込まれたプログラムＲＯＭ部６０４ｃ、漢字その他のキャラクタＲＯＭ部６０４ｂ、プログラム実行（図１４〜図２３の処理の実行）に必要なワークエリアを提供するワークＲＡＭ部６０４ａなどを含んでいる。
【００４６】
このメインＭＰＵ部６０４はさらに、図１のディスク１００（またはＨＤＤレコーダユニット７００）に記録されたデータファイルのディレクトリ（図２に示すような階層ファイル構造）を検知するディレクトリ検知部６０４１と、後述するビデオオブジェクトグループ化部（ＶＯＧ化部）６０４３とを含んでいる。これらディレクトリ検知部６０４１およびＶＯＧ化部６０４３は、メインＭＰＵ部６０４が実行するファームウエアとして、物理的にはプログラムＲＯＭ部６０４ｃに書き込まれている。
【００４７】
このメインＭＰＵ部６０４のＭＰＵは、そのＲＯＭに格納された制御プログラムに従い、そのＲＡＭをワークエリアとして用いて、後述する図１４〜図２３の処理などを実行する。
【００４８】
これらの処理において、ＲＴＲ−ＤＶＤビデオレコーダのユーザが入力するデータ（種々な処理の命令、連続取り込みしたい静止画の記録時間、静止画連続取り込みの開始命令、録画内容に関するテキスト入力など）は、キー入力部６０７からメインＭＰＵ部６０４に提供される。このキー入力部６０７としては、図示しないが、パーソナルコンピュータのキーボードあるいはリモコンのカーソルキー／テンキー等を利用することができる。
【００４９】
メインＭＰＵ部６０４の実行結果のうち、ＲＴＲ−ＤＶＤビデオレコーダのユーザに通知すべき内容は、ＲＴＲ−ＤＶＤビデオレコーダの表示部６０８に表示される。そして、この通知内容は、適宜、モニタディスプレイに、オンスクリーンディスプレイ（ＯＳＤ）や副映像等を利用して、表示される。
【００５０】
なお、メインＭＰＵ部６０４がディスクドライブ部６０９、Ｄ−ＰＲＯ部６１０、エンコーダ部６０１および／またはデコーダ部６０２を制御するタイミングは、ＳＴＣ部６５０からの時間データに基づいて決定することができる（録画・再生の動作は、通常はＳＴＣ部６５０からのタイムクロックに同期して実行されるが、それ以外の処理は、ＳＴＣ部６５０とは独立したタイミングで実行されてもよい）。
【００５１】
また、メインＭＰＵ部６０４は、図示しないタイマクロック発生部からの時間データに基づいて、ディスク１００に記録された各プログラムの録画日時、エントリポイントの登録日時などの処理も実行することができるようになっている。
【００５２】
図１のデコーダ部６０２は、図３に示すようなパック構造を持つＲＴＲ−ＤＶＤ再生データから各パックを分離して取り出す分離部６２５と、パック分離その他の信号処理実行時に使用するメモリ６２６と、分離部６２５で分離された主映像データ（ビデオパックの内容）をデコードするビデオデコード部６２８と、分離部６２５で分離された副映像データ（副映像パックの内容）をデコードする副映像（ＳＰ）デコード部６２７と、分離部６２５で分離されたオーディオデータ（オーディオパックの内容）をデコードするオーディオデコード部６３０と、ビデオデコード部６２８からのビデオデータにＳＰデコード部６２７からの副映像データを適宜合成し、主映像にメニュー、ハイライトボタン、字幕その他の副映像を重ねて出力するビデオプロセサ（Ｖ−ＰＲＯ）部６３８と、オーディオデコード部６３０からのデジタルオーディオ出力をアナログオーディオ信号に変換するＤ／Ａ変換部（オーディオ用）６３２を備えている。
【００５３】
ここで、ビデオデコード部６２８は、縮小画像（サムネールピクチャ）生成部６２８ａを含んでいる。この生成部６２８ａは、読み込んだ画像データを縮小してフレームメモリ部６０６に転送し、縮小画像（サムネールピクチャ）を外部モニタＴＶ６３７に出力できるように構成されている。
【００５４】
Ｖ−ＰＲＯ部６３８から出力される主映像データ（適宜縮小画像データを含む）およびメインＭＰＵ部６０４から適宜供給されるＯＳＤデータ（テキスト等）は、ビデオミキシング部６０５に入力される。このＯＳＤデータは、フレームメモリ部６０６上でＶ−ＰＲＯ部６３８からの主映像データに重畳される。このＯＳＤデータが重畳された主映像データは、ビデオミキシング部６０５から出力される。
【００５５】
ビデオミキシング部６０５からのデジタルビデオ出力は、デジタル出力Ｉ／Ｆ６３４を介して外部出力されるとともに、Ｄ／Ａ変換部６３６によりアナログビデオ信号に変換され、外部モニタＴＶ６３７に供給される。すると、種々なテキスト情報等が、主映像とともにＴＶ６３７上で表示される。
【００５６】
オーディオデコード部６３０からのデジタルオーディオ出力は、デジタル出力Ｉ／Ｆ６３１を介して外部出力されるとともに、Ｄ／Ａ変換部６３２によりアナログオーディオ信号に変換されて、外部スピーカ６３３に供給される。
【００５７】
図１の装置の動作例を簡単にまとめると、次のようになる。すなわち、Ａ／Ｖ入力部６１２から入力されたアナログＡＶ信号はＡ／Ｄ変換部６１４でデジタル信号化される。そのデジタル信号のうち、ビデオ信号はビデオエンコード部６１６へ入力され、オーディオ信号はオーディオエンコード部６１７へ入力され、文字放送などの文字データはＳＰエンコード部６１８へ入力される。ビデオエンコード部６１６に入力されたビデオ信号はＭＰＥＧ圧縮され、オーディオエンコード部６１７に入力されたオーディオ信号はＡＣ−３圧縮またはＭＰＥＧオーディオ圧縮され、ＳＰエンコード部６１８に入力された文字データ（ビットマップデータ）はランレングス圧縮される。
【００５８】
さらに、各エンコーダ部６１６〜６１８から、各種圧縮データが、パック化された場合に２０４８バイトになるようにパケット化されて、フォーマッタ部６１９へ入力される。フォーマッタ部６１９では、各パケットがパック化され、さらに、多重化され、Ｄ−ＰＲＯ部６１０へ送られる。
【００５９】
このとき、たとえばＭＰＥＧの１ＧＯＰをＤＶＤビデオのデータユニットであるＶＯＢＵとしてエンコーダ部６０１に設定すると、そのときの切り分け情報がバッファメモリ部６２０に保存される。この切り分け情報がバッファメモリ部６２０内にある程度たまると、それがメインＭＰＵ部６０４に転送される。メインＭＰＵ部６０４は、転送されてきた情報を元にタイムマップ情報を作成する。（このタイムマップ情報は、ＧＯＰ先頭割り込みなどのときに送出される。）
ここで、上記切り分け情報としては、ＶＯＢＵの大きさ、ＶＯＢＵ先頭からそのＶＯＢＵ最後までの再生時間、ＶＯＢＵ先頭からそのＶＯＢＵに該当するＩピクチャのエンドアドレスまでなどが考えられる。
【００６０】
また、上記切り分け情報を元に、直接、フォーマッタ部６１９がタイムマップ情報を作成し、それをタイムマップの形でメインＭＰＵ部６０４に渡すことも考えられる。
【００６１】
Ｄ−ＰＲＯ部６１０は、エンコードされた各データパック列を１６パック毎に区切ってＥＣＣブロックを形成し、そのＥＣＣブロックにエラー訂正データを付け、それをディスクドライブ部６０９によりＤＶＤ−ＲＡＭなどの光ディスク１００に記録する。
【００６２】
ここで、シーク中あるいはトラックジャンプなどのためディスクドライブ部６０９がビジィー状態になった場合には、エラー訂正データ付ＥＣＣブロックのデジタル信号ストリームは一時記憶部６１１に一時記憶され、ディスクドライブ部６０９の記録準備ができるまで待つこととなる。
【００６３】
ここで、ＤＶＤ−ＲＡＭ等を利用した図１のリアルタイムＤＶＤレコーダにおいて、静止画の処理は、たとえば以下のように行なうことができる。
【００６４】
たとえばキー入力部６０７からのユーザ指示により静止画記録モードに移行してからＡ／Ｖ入力部６１２に静止画のビデオ信号が入力されると、ＭＰＥＧビデオエンコード部６１６は、取り込んだ静止画データを、Ｉピクチャデータとして圧縮し、さらにその圧縮データの後にシーケンスエンドコードを付加し、パック構造に変換する。この１枚のＩピクチャデータを、図３に示すように１ＶＯＢＵ＝１ＶＯＢとして記録する。
【００６５】
さらに、複数の静止画を取り込んだ場合、６４枚以内の静止画でグループを形成し、ＶＯＧ（ビデオオブジェクトグループ）とする。このＶＯＧは、管理上の区切りで、動画再生の場合のＶＯＢに相当している。
【００６６】
この取り込んだ静止画に対してはＶＯＧ毎に管理情報（Ｓ＿ＡＶＦＩ／Ｓ＿ＶＯＧＩ）が構築され、取り込んだ複数静止画の再生順を決める管理情報（プログラムチェーン情報）が、ＯＲＧ＿ＰＧＣＩに登録される。
【００６７】
このとき、ＶＯＧを形成するための条件としては、図１６を参照して後述するが、記録枚数が一定数に達した場合（通常は６４枚）、静止画の記録モードが変更された場合、ユーザが（静止画連続記録中に）図示しないグループ化キー（図１のキー入力部６０７に含まれるキー）を押した場合、記録日付を設定した場合には、その日付が変わった場合などが考えられる。
【００６８】
実際には、上記条件のコンビネーションで、ＶＯＧが切り分けられることになる。
【００６９】
上記条件のうち、静止画の記録モードが変更された場合とは、静止画の解像度の変更、その静止画に伴って再生されるオーディオのモノ／ステレオ／デュアルモノの切り替え、その静止画に伴って再生されるオーディオの圧縮方式の変更、その静止画に伴って再生される副映像のパレットデータの変更などが考えられる。
【００７０】
これらの記録モード変更に関する情報は、図１３を参照して後述する管理情報Ｓ＿ＶＯＢ＿ＳＴＩに記録されており、後述する図１２のＳ＿ＶＯＧ＿ＧＩに該当記録モードのストリーム情報番号（Ｓ＿ＶＯＢ＿ＳＴＩＮ）を記録しておくことにより、記録モード変更に関する情報を処理できるようになる。
【００７１】
図２は、図１の情報媒体（ＤＶＤ−ＲＡＭ、ＤＶＤ−ＲＷ、ＤＶＤ−Ｒ、ＨＤＤ等）に記録されるデジタル情報ファイルのディレクトリ構造を説明する図である。
【００７２】
ＤＶＤには複数の規格が存在し、各規格ごとにディレクトリが存在している。すなわち、ＤＶＤビデオではＶＩＤＥＯ＿ＴＳのディレクトリ（図示せず）、ＤＶＤオーディオではＡＵＤＩＯ＿ＴＳ２２０のディレクトリ、ＲＴＲ−ＤＶＤ（録再ＤＶＤ）ではＤＶＤ＿ＲＴＡＶ２１０のディレクトリが設けられる。そして、各規格の記録データは、対応するディレクトリのファイル中に存在している。
【００７３】
ＤＶＤビデオでは、通常のファイル形式でデータが保存されている。ＤＶＤビデオに記録される各タイトルは、たとえば映画の一本分に相当し、１枚のディスクにこのタイトルが１以上入っている。このタイトルが集まったものをタイトルセットと言い、このタイトルセットは、複数のファイルで構成されている。
【００７４】
タイトルセット（ＶＴＳ）は、このタイトルセットを管理するための情報がビデオタイトルセット情報（ＶＴＳＩ）と称する管理情報ファイルと、ビデオデータで構成されているビデオファイルと、ＶＴＳＩのバックアップファイルとで構成されている。さらに、ＤＶＤビデオでは、１枚のディスクには、このディスクを管理するための情報としてビデオマネージャ（ＶＭＧ）と称する管理情報ファイルが存在する。
【００７５】
一方、ＲＴＲ−ＤＶＤ（録再ＤＶＤ）では、図２に示すように、ディスク１枚に１つの動画用のデータファイルであるＶＲ＿ＭＯＶＩＥ．ＶＲＯファイル２３１および静止画用データファイルＶＲ＿ＳＴＩＬＬ．ＶＲＯファイル２３２が存在し、これらのビデオデータファイルを管理するための管理情報（ビデオマネージャＶＭＧ）ＶＲ＿ＭＡＮＧＲ．ＩＦＯファイル２３０が記録される。
【００７６】
また、録再ＤＶＤの規格では、前記ＤＶＤビデオのＶＭＧＩおよびＶＴＳＩを一緒にして全体的な管理情報ＶＭＧを構成し、このＶＭＧでビデオデータファイルの管理している。
【００７７】
なお、この発明の一実施の形態に係る図１のＲＴＲ−ＤＶＤレコーダでは、動画用ビデオファイル（図２のＶＲ＿ＭＯＶＩＥ．ＶＲＯ２３１）および静止画用データファイル（図２のＶＲ＿ＳＴＩＬＬ．ＶＲＯ２３２）は、１ディスクに各１ファイルとしている。
【００７８】
前記ビデオデータファイルは、図２に示すように階層構造で管理されており、１つのビデオオブジェクトセット（ＶＯＢＳ）は１以上のＶＯＢで構成されており、１つのＶＯＢは、１以上のビデオオブジェクトユニット（ＶＯＢＵ）で構成されている。また、各ＶＯＢＵは、様々な種類のデータからなる複数パックによって構成されている。１パックはパックヘッダと１以上のパケットで構成され、各ビデオデータ、オーディオデータはこのパケット内に記録される。
【００７９】
図３は、図１の情報媒体（ＤＶＤ−ＲＡＭ、ＤＶＤ−ＲＷ、ＤＶＤ−Ｒ、ＨＤＤ等）に記録されるデジタル情報（動画、静止画、音声、副映像など）に含まれるビデオオブジェクトセット（ＶＯＢＳ）のデータ構造を説明する図である。このＶＯＢＳに、動画データ、静止画データ、音声データ、副映像データなどの情報コンテンツが記録される。
【００８０】
ここで、静止画データについては、図３に例示されるように、１つのＩピクチャ＝１つのＶＯＢＵ＝１つのＶＯＢとして管理され、ビデオデータパック（Ｖパック）列の後に副映像パック（ＳＰパック）列、オーディオパック（Ａパック）列と続いている。ただし、静止画データの場合には、副映像データおよび／またはオーディオデータはオプションであり、無い場合もあり得る。
【００８１】
ここで、パックは、データ転送処理を行う最小単位である。さらに、論理上の処理を行う最小単位はセル単位であり、論理上の処理はセル単位で行われる。そして、セルデータの再生順序はプログラムチェーン（ＰＧＣ）で定義される。このＰＧＣには複数のプログラム（ＰＧ）が登録され、このＰＧに１以上のセルが登録されている。このＰＧＣの構造を実際に記録してあるのが、前記ＶＭＧに含まれるプログラムチェーン情報（ＰＧＣＩ）である。再生処理は、このＰＧＣＩに従って行われ、記録時または編集時に、ＰＧＣＩが作成される。
【００８２】
図４は、図１の情報媒体（ＤＶＤ−ＲＡＭ、ＤＶＤ−ＲＷ、ＤＶＤ−Ｒ、ＨＤＤ等）で用いられる管理情報（ＶＭＧ／ＰＧＣＩ／ＣＩ）のデータ構造を説明する図である。ＲＴＲ−ＤＶＤ（録再ＤＶＤ）では、図４に示すような構造の管理情報ＶＭＧが用いられる。
【００８３】
図４（ａ）において、ＲＴＲビデオマネージャ情報ＲＴＲ＿ＶＭＧＩには、図１の記録再生可能光ディスク（ＲＴＲディスク）１００の基本的な情報が記述される。このＲＴＲ＿ＶＭＧＩは、ビデオマネージャ情報管理テーブルＶＭＧＩ＿ＭＡＴおよびプレイリストサーチポインタテーブルＰＬ＿ＳＲＴＰを含んでいる。
【００８４】
ＲＴＲ＿ＶＭＧは、さらに、ムービーＡＶファイル情報テーブルＭ＿ＡＶＦＩＴ、スチル画ＡＶファイル情報テーブルＳ＿ＡＶＦＩＴ、オリジナルＰＧＣ情報ＯＲＧ＿ＰＧＣＩ、ユーザ定義ＰＧＣ情報テーブルＵＤ＿ＰＧＣＩＴ、テキストデータマネージャＴＸＴＤＴ＿ＭＧおよび製造者情報テーブルＭＮＦＩＴを含んでいる。
【００８５】
図４（ｂ）は、図４（ａ）のＵＤ＿ＰＧＣＩＴのデータ構造を示している。ＵＤ＿ＰＧＣＩＴは、ユーザ定義ＰＣＧ情報テーブル情報ＵＤ＿ＰＧＣＩＴＩと、１以上のユーザ定義ＰＧＣＩサーチポインタＵＤ＿ＰＧＣＩ＿ＳＲＰ＃１〜ＵＤ＿ＰＧＣＩ＿ＳＲＰ＃ｎと、１以上のユーザ定義ＰＧＣ情報ＵＤ＿ＰＧＣＩ＃１〜ＵＤ＿ＰＧＣＩ＃ｎとを含んでいる。
【００８６】
全てのＵＤ＿ＰＧＣには、ＵＤ＿ＰＧＣＩＴ内のＵＤ＿ＰＧＣＩ＿ＳＲＰの記載順序で、１から９９までのプログラムチェーン番号ＰＧＣＮが割り当てられる。このＰＧＣＮにより、各ＰＧＣを特定できる。ここで、ＵＤ＿ＰＧＣＩＴＩは、ＵＤ＿ＰＧＣＩ＿ＳＲＰの数を示すＵＤ＿ＰＧＣＩ＿ＳＲＰ＿Ｎｓと、ＵＤ＿ＰＧＣＩＴの終了アドレスを示すＵＤ＿ＰＧＣＩＴ＿ＥＡとを含んでいる。
【００８７】
なお、ＵＤ＿ＰＧＣＩ＿ＳＲＰ＿Ｎｓの最大値はたとえば「９９」に設定されている。ＵＤ＿ＰＧＣＩＴ＿ＥＡは、ＵＤ＿ＰＧＣＩＴの最初のバイトからの相対バイト番号でもってＵＤ＿ＰＧＣＩＴの終了アドレスを表したものである。
【００８８】
また、ＵＤ＿ＰＧＣＩ＿ＳＲＰは、ＵＤ＿ＰＧＣＩの開始アドレスＵＤ＿ＰＧＣＩ＿ＳＡを含んでいる。このＵＤ＿ＰＧＣＩ＿ＳＡは、ＵＤ＿ＰＧＣＩＴの最初のバイトからの相対バイト番号でもってＵＤ＿ＰＧＣＩの開始アドレスを表したものである。
【００８９】
録再ＤＶＤでは、記録順にセル再生するための特別なＰＧＣをオリジナルＰＧＣと称し、このオリジナルＰＧＣの情報はＯＲＧ＿ＰＧＣＩに記録されている。また、記録後にユーザが任意に定めた順序でセル再生するためのＰＧＣをユーザ定義ＰＧＣと称し、１以上のユーザ定義ＰＧＣの情報ＵＤ＿ＰＧＣＩがＵＤ＿ＰＧＣＩＴに記録されている。ユーザ定義ＰＧＣは、それ自身のＶＯＢは持たず、オリジナルＰＧＣ内のＶＯＢを参照するように構成されている。
【００９０】
図４（ｃ）は、図４（ａ）のＯＲＧ＿ＰＧＣＩおよび図４（ｂ）の各ＵＤ＿ＰＧＣＩのデータ構造を示している。各ＰＧＣＩは、プログラムチェーンＰＧＣのためのナビゲーション情報を含んでいる。
【００９１】
図４（ｃ）に示すように、ＰＧＣ情報（ＰＧＣＩ）は、ＰＧＣ一般情報ＰＧＣ＿ＧＩと、１以上のプログラム情報ＰＧＩからなるプログラム情報テーブルＰＧＩＴと、１以上のセル情報サーチポインタＣＩ＿ＳＲＰからなるセル情報サーチポインタテーブルＣＩ＿ＳＲＰＴと、１以上のセル情報ＣＩからなるセル情報テーブルＣＩＴとを含んでいる。
【００９２】
図４（ｄ）は、図４（ｃ）のセル情報テーブルＣＩＴのデータ構造を示している。このＣＩＴは、セル情報ＣＩ＃１〜ＣＩ＃ｊで構成されている。ここで、各セル情報ＣＩの開始アドレスは、ＰＧＣＩの最初のバイトからの相対バイト番号でもって記述されるＣＩ＿ＳＡによって、示すことができる。
【００９３】
図４（ｅ）は、図４（ｄ）の各セル情報ＣＩのデータ構造を示している。図示するように、各ＣＩは、セル一般情報Ｃ＿ＧＩと、１以上のセルエントリポイント情報Ｃ＿ＥＰＩ＃１〜Ｃ＿ＥＰＩ＃ｋを含んでいる。
【００９４】
図５は、図４の管理情報（ＣＩ）に含まれるセル一般情報Ｃ＿ＧＩ（静止画セル一般情報Ｓ＿Ｃ＿ＧＩ）の内容を説明する図である。
【００９５】
このＣ＿ＧＩは、該当セルの形式を記述したセルタイプ（Ｃ＿ＴＹ）と、このセルにより使用されるＶＯＢグループの静止画ＶＯＢグループ情報サーチポインタ番号（Ｓ＿ＶＯＧＩ＿ＳＲＰＮ）と、このセル内のセルエントリポイント情報の数（Ｃ＿ＥＰＩ＿Ｎｓ）と、このセルの静止画ＶＯＢエントリ番号の開始アドレス（Ｓ＿Ｓ＿ＶＯＢ＿ＥＮＴＮ）と、このセルの静止画ＶＯＢエントリ番号の終了アドレス（Ｅ＿Ｓ＿ＶＯＢ＿ＥＮＴＮ）とを含んでいる。
【００９６】
図６は、図４の管理情報（ＣＩ）に含まれるセルエントリポイント情報Ｃ＿ＥＰＩ（静止画セルエントリポイント情報Ｓ＿Ｃ＿ＥＰＩ）の内容を説明する図である。
【００９７】
このＣ＿ＥＰＩは、エントリポイントの形式を記述したエントリポイントタイプ（ＥＰ＿ＴＹ）と、静止画ＶＯＢのエントリ番号（Ｓ＿ＶＯＢ＿ＥＮＴＮ）と、プライマリテキスト情報（ＰＲＭ＿ＴＸＴＩ）を含んでいる。ＥＰ−ＴＹには、ＰＲＭ＿ＴＸＴＩの有無を示すフラグが記述される。Ｓ＿ＶＯＢ＿ＥＮＴＮには開始Ｓ＿ＶＯＢの番号が記述される。ＰＲＭ＿ＴＸＴＩには、対応する静止画に関係したコメントその他の情報を記述できる。
【００９８】
図１の装置で用いられる切り分け情報の記録フォーマットは、図７〜図１１に示すようになっている。
【００９９】
図７は、図１の情報媒体（ＤＶＤ−ＲＡＭ、ＤＶＤ−ＲＷ、ＤＶＤ−Ｒ、ＨＤＤ等）で用いられる静止画の管理情報（ＶＭＧ／Ｓ＿ＡＶＦＩＴ／Ｓ＿ＡＶＦＩ／Ｓ＿ＶＯＧＩ）のデータ構造を説明する図である。
【０１００】
図７（ａ）のＶＭＧは図４（ａ）のＶＭＧと同じデータ構造を持つ。図７（ａ）のＶＭＧに含まれる静止画ＡＶファイル情報テーブル（Ｓ＿ＡＶＦＩＴ）は、図７（ｂ）に示すように、静止画ＡＶファイル情報テーブル情報（Ｓ＿ＡＶＦＩＴＩ）と、静止画ＶＯＢのストリーム情報（Ｓ＿ＶＯＢ＿ＳＴＩ＃１〜＃ｎ）と、静止画ＡＶファイル情報（Ｓ＿ＡＶＦＩ）と、静止画に対する付加オーディオのストリーム情報（Ｓ＿ＡＡ＿ＳＴＩ＃１〜＃ｍ）と、静止画に対する付加オーディオのファイル情報（Ｓ＿ＡＡＦＩ）とを含んでいる。
【０１０１】
なお、図７（ｂ）の各Ｓ＿ＡＡ＿ＳＴＩは、付加オーディオストリームのオーディオ属性情報を含んでいる。
【０１０２】
図７（ｂ）のＳ＿ＡＶＦＩは、図７（ｃ）に示すように、Ｓ＿ＡＶＦＩの一般情報Ｓ＿ＡＶＦＩ＿ＧＩと、静止画ＶＯＢグループ情報のサーチポインタＳ＿ＶＯＧＩ＿ＳＲＰ＃１〜＃ｎと、静止画ＶＯＢグループ情報Ｓ＿ＶＯＧＩ＃１〜＃ｎとを含んでいる。
【０１０３】
図７（ｃ）のＳ＿ＶＯＧＩは、図７（ｄ）に示すように、静止画ＶＯＢグループの一般情報Ｓ＿ＶＯＧ＿ＧＩと、１以上の静止画用ＶＯＢエントリＳ＿ＶＯＢ＿ＥＮＴ＃１〜＃ｎとで構成されている。各Ｓ＿ＶＯＢ＿ＥＮＴには、４種類（タイプＡ〜タイプＤ）がある。
【０１０４】
図８は、図７（ｄ）の静止画管理情報（Ｓ＿ＶＯＧＩ）に含まれる静止画ビデオオブジェクトエントリＳ＿ＶＯＢ＿ＥＮＴ（タイプＡ）の内容を説明する図である。タイプＡのＳ＿ＶＯＢ＿ＥＮＴは、静止画のＶＯＢエントリの形式を示す情報（Ｓ＿ＶＯＢ＿ＥＮＴ＿ＴＹ）と、静止画ＶＯＢ内のビデオパートのサイズをセクタ単位で表した情報（Ｖ＿ＰＡＲＴ＿ＳＺ）とを含んでいる。
【０１０５】
図９は、図７（ｄ）の静止画管理情報（Ｓ＿ＶＯＧＩ）に含まれる静止画ビデオオブジェクトエントリＳ＿ＶＯＢ＿ＥＮＴ（タイプＢ）の内容を説明する図である。タイプＢのＳ＿ＶＯＢ＿ＥＮＴは、タイプＡのＳ＿ＶＯＢ＿ＥＮＴ＿ＴＹおよびＶ＿ＰＡＲＴ＿ＳＺの他に、静止画ＶＯＢ内の元の（オリジナルの）オーディオパートのサイズをセクタ単位で表した情報（Ａ＿ＰＡＲＴ＿ＳＺ）と、このオーディオパートの再生時間をビデオフィールド単位で表した情報（Ａ＿ＰＢ＿ＴＭ）とを含んでいる。
【０１０６】
なお、実際のオーディオパートの再生時間がビデオフィールドの境界に一致しないときは、オーディオパートの末尾データのうちビデオフィールドからはみ出す分は切り捨てられる。
【０１０７】
図１０は、図７（ｄ）の静止画管理情報（Ｓ＿ＶＯＧＩ）に含まれる静止画ビデオオブジェクトエントリＳ＿ＶＯＢ＿ＥＮＴ（タイプＣ）の内容を説明する図である。タイプＣのＳ＿ＶＯＢ＿ＥＮＴは、タイプＡのＳ＿ＶＯＢ＿ＥＮＴ＿ＴＹおよびＶ＿ＰＡＲＴ＿ＳＺの他に、静止画ＶＯＢに付加されるオーディオストリームに含まれる付加オーディオグループの番号情報（Ｓ＿ＡＡＧＮ）と、この静止画ＶＯＢ用付加オーディオストリームに対応したエントリ番号の情報（ＡＡ＿ＥＮＴＮ）とを含んでいる。
【０１０８】
図１１は、図７（ｄ）の静止画管理情報（Ｓ＿ＶＯＧＩ）に含まれる静止画ビデオオブジェクトエントリＳ＿ＶＯＢ＿ＥＮＴ（タイプＤ）の内容を説明する図である。タイプＤのＳ＿ＶＯＢ＿ＥＮＴは、タイプＢのＳ＿ＶＯＢ＿ＥＮＴ＿ＴＹ、Ｖ＿ＰＡＲＴ＿ＳＺ、Ａ＿ＰＡＲＴ＿ＳＺおよびＡ＿ＰＢ＿ＴＭの他に、タイプＣのＳ＿ＡＡＧＮおよびＡＡ＿ＥＮＴＮを含んでいる。
【０１０９】
上記Ｓ＿ＶＯＢ＿ＥＮＴのタイプＡ〜タイプＤは、いずれも、タイプＡのＳ＿ＶＯＢ＿ＥＮＴ＿ＴＹおよびＶ＿ＰＡＲＴ＿ＳＺを共通に含んでいる。
【０１１０】
図１２は、図７（ｄ）の静止画管理情報（Ｓ＿ＶＯＧＩ）に含まれる静止画ビデオオブジェクトグループ一般情報Ｓ＿ＶＯＧ＿ＧＩの内容を説明する図である。
【０１１１】
このＳ＿ＶＯＧ＿ＧＩは、該当ＶＯＧに登録されている静止画ＶＯＢの数（Ｓ＿ＶＯＢ＿Ｎｓ）と、静止画ＶＯＢストリーム情報番号（Ｓ＿ＶＯＢ＿ＳＴＩＮ）と、このＶＯＢグループ中の最初のＶＯＢが記録されたときの時間情報（ＦＩＲＳＴ＿ＶＯＢ＿ＲＥＣ＿ＴＭ）と、このＶＯＢグループ中の最後のＶＯＢが記録されたときの時間情報（ＬＡＳＴ＿ＶＯＢ＿ＲＥＣ＿ＴＭ）と、静止画ＡＦファイル中のこのＶＯＢグループの開始アドレス（Ｓ＿ＶＯＧ＿ＳＡ）とを含んでいる。このＳ＿ＶＯＧ＿ＳＡは、Ｓ＿ＡＶＦＩの先頭からの相対アドレスをセクタ単位で表現したものである。
【０１１２】
図１３は、図７（ｂ）の静止画管理情報（Ｓ＿ＡＶＦＩＴ）に含まれる静止画ビデオオブジェクトストリーム情報Ｓ＿ＶＯＢ＿ＳＴＩの内容を説明する図である。図１の装置において更新されるストリーム情報ＳＴＩのフォーマットは、図１３に示すようになっている。
【０１１３】
すなわち、このＳ＿ＶＯＢ＿ＳＴＩは、該当静止画のビデオエンコード方式を記述したビデオ属性情報Ｖ＿ＡＴＲと、オプションのオーディオエンコード方式（あるいはオリジナルオーディオストリームの属性）を記述したオーディオ属性情報ＯＡ＿ＡＴＲと、副映像のエンコード方式を記述した副映像属性情報ＳＰ＿ＡＴＲと、副映像のカラーパレットデータを記述したＳＰ＿ＰＬＴとを含んでいる。
【０１１４】
図１４は、図１の装置による全体的な録画処理手順を説明するフローチャート図である。以下、通常の静止画録画時の処理を、図１４のフローに従って説明する。
【０１１５】
まず、ディスク１００からファイルシステムのデータが読み込まれ（ステップＳＴ１００）、そのディスクの空き容量がチェックされる（ステップＳＴ１０２）。空き容量がないときは（ステップＳＴ１０２ノー）表示部６０８および／またはＴＶ６３７に「録画スペースがありません」といった警告表示を出力し、録画処理を終了する。
【０１１６】
ディスク１００に空き容量があるときは（ステップＳＴ１０２イエス）、録画前処理が行われる（ステップＳＴ１１０）。この前処理において、管理領域の書き込み（ＶＭＧファイルの取り込みと作成）その他が行われる。
【０１１７】
次に、キー入力部６０７などからユーザにより静止画を取り込むスチルモードが設定されているかどうかチェックされる（ステップＳＴ１１２）。スチルモードが設定されていなければ（ステップＳＴ１１２ノー）、ムービーモードによる動画ビデオ録画などの処理にリターンする。
【０１１８】
スチルモードが設定されていれば（ステップＳＴ１１２イエス）、ユーザに、音声記録の有無を設定させ、さらに記録時間を設定させる（ステップＳＴ１１４）。音声記録なしの場合は、ユーザにスチル時間を設定させる（ステップＳＴ１１４）。さらにＳＴＣ部６５０をリセットし、各エンコード部６１６〜６１８の初期設定を行う（ステップＳＴ１１４）。
【０１１９】
ここで、ＶＭＧがディスク１００に記録されている場合には、そのストリーム情報ＳＴＩより希望の属性に合うＳＴＩが選択され、選択されたＳＴＩの値が各エンコード部６１６〜６１８にセットされる（ステップＳＴ１１４）。
【０１２０】
ＶＭＧがディスク１００に記録されていない場合には、図１の装置（ＭＰＵ部６０４）がＶＭＧを発生してＳＴＩテーブルに登録しても良い。この処理は、静止画記録再生の場合だけでなく、動画処理の場合にも行われる。ただし、図１４のフローでは、録画終了時にこのＶＭＧ登録（書き込み）処理を行っている。
【０１２１】
次に、図１のキー入力部６０７または図示しないリモートコントローラに設けられた録画キー／ＲＥＣキー（機能上カメラのシャッターボタンに相当の）が入力されたかどうかがチェックされる（ステップＳＴ１１６）。
【０１２２】
録画キー／ＲＥＣキーの入力があった場合（ステップＳＴ１１６イエス）は、録画開始設定がなされる（ステップＳＴ１１８）。この設定において、１ピクチャ（静止画１枚）分の録画命令がビデオエンコード部６１６に設定され、音声記録ありの場合はその録音時間と録音開始命令がオーディオエンコード部６１７に設定される（ステップＳＴ１１８）。
【０１２３】
こうして１ピクチャ分の静止画ビデオ信号がエンコーダ部６０１に取り込まれ、取り込まれた静止画が圧縮されパック化されて、ディスク１００に記録される。このとき、音声記録が指定されている場合には、エンコーダ部６０１に取り込まれた音声も圧縮されパック化されてディスク１００に記録される。こうしてパック化された静止画および音声の記録アドレスは、ファイルシステムを参照して決定される（ステップＳＴ１２０）。
【０１２４】
このステップＳＴ１２０において、書き込みアドレスの他に書き込みサイズも決定され、決定されたアドレスおよびサイズに基づいて、ＭＰＵ部６０４がディスクドライブ部６０９に書き込み命令を発行する。この命令発行とともに、ＭＰＵ部６０４はＶＯＧ情報（図７（ｄ）のＳ＿ＶＯＧＩ）を作成する（ステップＳＴ１２０）。この作成されたＶＯＧ情報により、指定された枚数（図１２のＳ＿ＶＯＢ＿Ｎｓ）の静止画のグループ化などが行われる。
【０１２５】
なお、前記録画キー／ＲＥＣキーの入力がない場合（ステップＳＴ１１６ノー）には、ステップＳＴ１１８およびステップＳＴ１２０の処理はスキップされる。
【０１２６】
次に、図１のキー入力部６０７または図示しないリモートコントローラに設けられた録画処理終了キー／ＳＴＯＰキーが押されたかどうかがチェックされる（ステップＳＴ１２２）。
【０１２７】
録画処理終了キー／ＳＴＯＰキーの入力がなければ（ステップＳＴ１２２ノー）、ディスク１００に録画可能な残り容量があるかどうかのチェックが行われる（ステップＳＴ１３２）。
【０１２８】
ディスク１００に残り容量があれば（ステップＳＴ１３２ノー）、ステップＳＴ１１６に戻って、ステップＳＴ１１８〜ＳＴ１２０の処理が反復される。
【０１２９】
ディスク１００に残り容量がなければ（ステップＳＴ１３２イエス）、表示部６０８および／またはＴＶ６３７に「録画スペースがありません」といった警告表示を出力し（ステップＳＴ１３４）、録画終了処理（ステップＳＴ１４０）に移行する。
【０１３０】
なお、前記録画処理終了キー／ＳＴＯＰキーの入力があった場合（ステップＳＴ１２２イエス）には、ステップＳＴ１３２およびステップＳＴ１３４の処理はスキップされて、録画終了処理（ステップＳＴ１４０）に移行する。
【０１３１】
ステップＳＴ１４０の録画終了処理では、ＶＭＧファイルを終了させ、ＶＭＧファイル、ビデオファイルをファイルシステムに登録し更新する。
【０１３２】
具体的には、この録画終了処理において、切り分け情報などからＳ＿ＡＶＦＩＴ（ＶＯＧ情報Ｓ＿ＶＯＧＩを含む）およびＰＧＣＩを完成させ、録画に使用したストリーム情報ＳＴＩがビデオマネージャ情報ＶＭＧＩにあるかどうかを調べる。このＳＴＩがＶＭＧＩにない場合は、録画に使用したＳＴＩをＶＭＧＩに登録する。このＳＴＩがＶＭＧＩにある場合は、録画に使用したＳＴＩ番号をＳ＿ＶＯＧＩに登録する。そして図１のフォーマッタ部６１９を初期化し、しかる後に、ＶＭＧへ、ＰＧＣＩ、切り分け情報などの書き込みが行われる（ステップＳＴ１４０）。
【０１３３】
図１５は、図１４の処理手順における録画前処理（ステップＳＴ１１０）の内容を説明するフローチャート図である。以下、録画開始時の前処理について、図１５のフローに従って説明する。
【０１３４】
まず、ディスク１００のボリュームストラクチャからファイルシステムをチェックする（ステップＳＴ１１００）。ディスク１００にボリュームストラクチャが記録されていない場合は（ステップＳＴ１１００ノー）、ファイルシステムが構築され（ステップＳＴ１１０２）、図２に示すようなＤＶＤ−ＲＴＲディレクトリが作成される（ステップＳＴ１１０４）。
【０１３５】
ディスク１００にボリュームストラクチャが記録されている場合は（ステップＳＴ１１００イエス）、ＤＶＤ−ＲＴＲディレクトリがチェックされる（ステップＳＴ１１０６）。ＤＶＤ−ＲＴＲディレクトリがない場合は（ステップＳＴ１１０６ノー）、ＤＶＤ−ＲＴＲディレクトリが作成される（ステップＳＴ１１０８）。
【０１３６】
ＤＶＤ−ＲＴＲディレクトリがある場合（ステップＳＴ１１０６イエス）、あるいはＤＶＤ−ＲＴＲディレクトリが作成された場合（ステップＳＴ１１０４またはＳＴ１１０８）は、ディスク１００から読み出したファイルシステムにエラーが発生したかどうかのチェックが行われる（ステップＳＴ１１１０）。
【０１３７】
エラーが発生した場合は（ステップＳＴ１１１０イエス）、図１の表示部６０８および／またはＴＶ６３７で「ファイルシステムでエラーが発生しました」等の表示を行い（ステップＳＴ１１１２）、処理を終了するか、エラー修復（またはシステムのリスタート）処理などへリターンする。
【０１３８】
エラーが発生しなければ（ステップＳＴ１１１０ノー）、管理情報ＶＭＧがディスク１００にあるかどうかチェックされる（ステップＳＴ１１１４）。
【０１３９】
ＶＭＧがなければ（ステップＳＴ１１１４ノー）、ＶＭＧが作成される（ステップＳＴ１１１６）。このとき作成されたＶＭＧは、ディスク１００の管理ファイル（ＶＲ＿ＭＡＮＧＲ．ＩＦＯ）に記録してもよいが、図１のメインＭＰＵ部６０４のワークＲＡＭ６０４ａに展開するだけとし、ディスク１００に記録しなくてもよい。その場合、録画終了時に、録画内容を反映させた形で更新された内容のＶＭＧをディスク１００の管理ファイル（ＶＲ＿ＭＡＮＧＲ．ＩＦＯ）に保存すればよい。
【０１４０】
ＶＭＧがディスク１００にあれば（ステップＳＴ１１１４イエス）、そのＶＭＧがディスク１００からメインＭＰＵ部６０４のワークＲＡＭ６０４ａに読み込まれる（ステップＳＴ１１１８）。
【０１４１】
ここでエラーが発生しなければ（ステップＳＴ１１２０ノー）、図１４のステップＳＴ１１２にリターンする。エラーが発生すれば（ステップＳＴ１１２０イエス）、表示部６０８および／またはＴＶ６３７で「管理データの作成ができませんでした」等の表示を行い（ステップＳＴ１１２２）、処理を終了するか、エラー修復（またはシステムのリスタート）処理などへリターンする。
【０１４２】
図１５の録画前処理を行うタイミングは、次の３種類のタイミングが考えられる。
【０１４３】
第一は、ディスク１００を図１のディスクドライブ部６０９に装填したとき直ちに行う方法である。この方法では、録画キー／ＲＥＣキーを押した後、録画をすぐに開始できるという利点があるが、ディスク１００を装填したときに準備時間が若干多くかかることになる。
【０１４４】
第二は、キー入力部６０７の図示しないフォーマットボタンを押した時に行う方法である。この方法には、記録前には必ずフォーマットキーを押さなければならないという欠点がある。
【０１４５】
第三は、録画開始時に行うという方法である。この方法だと、録画キー／ＲＥＣキーを押した後、録画開始まで若干のタイムラグが生じるため、その間の記録データを一時記憶部６１１に保存することが必要となってくる。
【０１４６】
図１６は、図１４の処理手順におけるＶＯＧ情報作成処理（ステップＳＴ１２０）の内容を説明するフローチャート図である。
【０１４７】
まず、記録した静止画ＶＯＢのパック数、オーディオのパック数、オーディオの再生時間、副映像ＳＰの有り／無しなどを切り分け情報として取り込み、図８〜図１１のＶＯＢ＿ＥＮＴに登録する（ステップＳＴ１２００）。
【０１４８】
次に、複数静止画のＶＯＧ化の条件がチェックされる（ステップＳＴ１２０２）。このＶＯＧ化条件としては、以下のもの（単独あるいは２以上の組合せ）がある：
条件１：静止画の記録枚数が一定数（たとえば６４枚）に達したかどうか；
条件２：記録の日付（時間）が設定されている場合において、その日付（時間）が変わったか（あるいは規定の時間に達したか）どうか；
条件３：ユーザが手動で図示しないＶＯＧの切り替えキー（グループ化キー）を押したかどうか；
条件４：静止画記録モードが変更されたか（静止画のソース属性が変わったか）どうか；
など。
【０１４９】
上記条件１〜４のいずれか１以上に該当すれば（ステップＳＴ１２０２の条件該当）、そのＶＯＧを閉じ、図１２のＳ＿ＶＯＧ＿ＧＩに、各種情報（該当Ｓ＿ＶＯＧに登録した静止画ＶＯＢの数、ＶＯＧの属性情報と一致するストリーム情報ＳＴＩの番号、最初のＶＯＢの記録開始時間、最後のＶＯＢの記録開始時間など）を登録する（ステップＳＴ１２０４）。
【０１５０】
上記条件１〜４のいずれにも該当しなければ（ステップＳＴ１２０２の非該当）、ステップＳＴ１２０４の処理はスキップされる。
【０１５１】
図１７は、図１４の処理手順における録画後処理（ステップＳＴ１４０）の内容を説明するフローチャート図である。この処理は、動画／静止画に共通して行われる。
【０１５２】
まず、メインＭＰＵ部６０４は、フォーマッタ部６１９より受け取った切り分け情報を元に、ワークＲＡＭ６０４ａ内のＶＭＧを更新する（ステップＳＴ１４００）。
【０１５３】
次に、録画に使用した属性データがＶＭＧ内のストリーム情報ＳＴＩのテーブルにあるかどうかをチェックする（ステップＳＴ１４０２）。属性データがＳＴＩテーブルに存在する場合には（ステップＳＴ１４０２イエス）、そのＳＴＩ番号をＭ＿ＶＯＢＩ（動画の場合）またはＳ＿ＶＯＧＩ（静止画の場合）に登録する（ステップＳＴ１４０４）。
【０１５４】
属性データがＳＴＩテーブルに存在しない場合は（ステップＳＴ１４０２ノー）、記録されているＳＴＩの数が最大値に達しているか（つまりＳＴＩテーブルに空きがあるかどうか）がチェックされる（ステップＳＴ１４０６）。ＳＴＩの数が最大値に達していない（つまりＳＴＩテーブルに空きがある）場合は（ステップＳＴ１４０６ノー）、録画に使用したＳＴＩ情報をＳＴＩテーブルに登録し、さらに、Ｍ＿ＶＯＢＩ（動画の場合）またはＳ＿ＶＯＧＩ（静止画の場合）に、その新しく登録したＳＴＩの番号を登録する（ステップＳＴ１４０８）。
【０１５５】
ＳＴＩの数が最大値に達している（つまりＳＴＩテーブルに空きがない）場合は（ステップＳＴ１４０６イエス）、登録されているＭ＿ＶＯＢＩ（動画の場合）またはＳ＿ＶＯＧＩ（静止画の場合）を調べ、使用していないＳＴＩがあるかどうかチェックする（ステップＳＴ１４１０）。未使用のＳＴＩがある場合には（ステップＳＴ１４１０イエス）、未使用ＳＴＩ情報の登録を消して新たなＳＴＩを確保し、その確保したＳＴＩの所に録画に使用したＳＴＩ情報を登録して（ステップＳＴ１４１２）、ステップＳＴ１４０８に移行する。ステップＳＴ１４０８では、ステップＳＴ１４１２で登録したＳＴＩの番号が登録される。
【０１５６】
未使用のＳＴＩが無い場合には（ステップＳＴ１４１０ノー）、図１の表示部６０８および／またはＴＶ６３７でエラー表示を行って（ステップＳＴ１４１４）図１７の処理をエラー終了する。
【０１５７】
Ｍ＿ＶＯＢＩ（動画の場合）またはＳ＿ＶＯＧＩ（静止画の場合）にＳＴＩ番号が登録されたら（ステップＳＴ１４０４またはＳＴ１４０８）、ファイルシステム内のＤＶＤ＿ＲＴＡＶディレクトリ（図２）下のディレクトリレコード情報にＶＲＯファイル（ＶＯＢＳファイル）が存在するかどうかがチェックされる（ステップＳＴ１４１６）。
【０１５８】
ＶＲＯファイル（ＶＯＢＳファイル）が存在する場合は（ステップＳＴ１４１６イエス）、そのＶＲＯファイル（ＶＯＢＳファイル）の情報を（記録したビデオファイルの情報に）更新することで、ディレクトリレコードを更新する（ステップＳＴ１４１８）。ＶＲＯファイル（ＶＯＢＳファイル）が存在しない場合は（ステップＳＴ１４１６ノー）、ＶＲＯファイル（ＶＯＢＳファイル）のディレクトリレコード情報を（記録したビデオファイルの情報に）追加登録する（ステップＳＴ１４２０）。
【０１５９】
ディレクトリレコード情報の更新（ステップＳＴ１４１８）あるいは登録（ステップＳＴ１４２０）が済むと、ＤＶＤ＿ＲＴＡＶディレクトリ（図２）下のディレクトリレコード情報内にＶＲ＿ＭＡＮＧＲ．ＩＦＯファイル（ＶＭＧファイル）があるかどうかがチェックされる（ステップＳＴ１４２２）。
【０１６０】
ＶＲ＿ＭＡＮＧＲ．ＩＦＯファイル（ＶＭＧファイル）がある場合（ステップＳＴ１４２２イエス）には、このＩＦＯファイルの位置にワークＲＡＭ６０４ａ内のＶＭＧ情報を書き込んで、ＤＶＤ＿ＲＴＡＶディレクトリ下のディレクトリレコード情報を更新する（ステップＳＴ１４２４）。
【０１６１】
ＶＲ＿ＭＡＮＧＲ．ＩＦＯファイル（ＶＭＧファイル）がない場合（ステップＳＴ１４２２ノー）は、ワークＲＡＭ６０４ａ内に構築したＶＭＧの情報をディスク１００の空き領域に記録し、ＤＶＤ＿ＲＴＡＶディレクトリ下のディレクトリレコード情報にＩＦＯファイルの情報を追加登録する（ステップＳＴ１４２６）。
【０１６２】
なお、図１７のストリーム情報ＳＴＩに関する処理は、録画前に行うこともできる。
【０１６３】
図１８〜図２０は、図１の装置による静止画連続取り込み録画の処理手順を説明するフローチャート図である。
【０１６４】
まず、ディスク１００からファイルシステムのデータが読み込まれ（ステップＳＴ２００）、そのディスクの空き容量がチェックされる（ステップＳＴ２０２）。空き容量がないときは（ステップＳＴ２０２ノー）表示部６０８および／またはＴＶ６３７に「録画スペースがありません」といった警告表示を出力し、録画処理を終了する。
【０１６５】
ディスク１００に空き容量があるときは（ステップＳＴ２０２イエス）、録画前処理が行われる（ステップＳＴ１１０）。この前処理において、ＶＭＧファイルが取り込まれ、その各設定値（ＰＧＣＩ、Ｓ＿ＶＯＧＩ等）がメインＭＰＵ部６０４のワークＲＡＭ部６０４ａに保存される。
【０１６６】
次に、キー入力部６０７などからユーザにより複数の静止画を連続して取り込むスライドショー取り込みモードが設定されているかどうかチェックされる（ステップＳＴ２１２）。スライドショー取り込みモードが設定されていなければ（ステップＳＴ２１２ノー）、他の処理にリターンする。
【０１６７】
スライドショー取り込みモードが設定されていれば（ステップＳＴ２１２イエス）、ユーザに、音声記録の有無を設定させ、さらに音声記録時間を（時間無制限も含めて）設定させる（ステップＳＴ２１４）。音声記録しない場合は、ユーザにスチル時間を設定させる（ステップＳＴ２１４）。設定された最大録音時間（あるいは時間無制限状態）もしくはスチル時間は、ワークＲＡＭ部６０４ａに保存される。さらにＳＴＣ部６５０をリセットし、各エンコード部６１６〜６１８の初期設定を行う（ステップＳＴ２１４）。
【０１６８】
この初期設定において、静止画記録モード（Ｉピクチャスチル記録モード）、ＶＯＧ切り分けモード、音声記録時間等が設定される。また、ワークＲＡＭ部６０４ａ内のストリーム情報ＳＴＩデータが調査され、録画すべきデータの属性情報と一致しているものがあれば、そのＳＴＩ番号がワークＲＡＭ部６０４ａに保存される。録画すべきデータの属性情報と一致しているものがない場合は、この録画すべきデータの属性情報がＳＴＩとしてワークＲＡＭ部６０４ａに保存される。
【０１６９】
また、ステップＳＴ２１４の初期設定において、ユーザに、スライドショー撮影時の録画日時を設定させ、それをワークＲＡＭ部６０４ａに保存するとともにフォーマッタ部６１９に設定する（ステップＳＴ２１４）。なお、録画日時のユーザ設定がなされない場合は、その取り込んだ日時が設定される。
【０１７０】
さらに、ステップＳＴ２１４の初期設定において、ユーザに、映像変化後の取り込み開始フレーム数を指定させる（ステップＳＴ２１４）。この取り込み開始フレーム数は、映像が変化した後何フレーム目の映像を取り込むかを指定するものであるが、指定しない場合は、変化後すぐの映像フレームを取り込むことになる。（ただし、変化後、一定のフレーム数が連続したことを検知して取り込む方法を採用している場合は、このフレーム数をユーザに指定させる必要はない。）ここで、映像変化後何番目のフレームを取り込むのかを指すフレーム数をユーザに指定させるのは、電子スチルカメラなどでスライドショー再生を行っている場合に、フェードイン、フェードアウトなどのエフェクト処理を行っている場合に対応するため（フェードイン中あるいはフェードアウト中のフレームを取り込まないようにするため）である。
【０１７１】
このようなフレーム数指定の代わりに、フレーム変化検知後、同じ映像フレームが一定数連続したことを検知し、その検知した信号をトリガとしてフレームデータを取り込むことも考えられる。
【０１７２】
続いて、図１のキー入力部６０７または図示しないリモートコントローラに設けられたスライドショー取り込み開始キー（図示せず）の入力チェックがなされる（ステップＳＴ２１６）。
【０１７３】
開始キー入力があった場合（ステップＳＴ２１６イエス）は、エンコーダ部６０１に対して録画開始設定がなされる（ステップＳＴ２１８）。この設定において、１フレーム（または１フィールド）分をＩピクチャとしてエンコードする設定と、オーディオエンコードが設定されている場合にはオーディオエンコード部６１７にオーディオエンコードの開始および最大録音時間または時間無制限を指定する設定とがなされる。
【０１７４】
ステップＳＴ２１８で録画開始設定がなされたあと、録画終了キーの入力チェック（ステップＳＴ２２２）、録音時間の経過チェック（ステップＳＴ２２４）、および映像内容の変化チェック（ステップＳＴ２２６）がなされる。
【０１７５】
録画終了キーの入力がなく（ステップＳＴ２２２ノー）、設定された最大録音時間まで経過しておらず（ステップＳＴ２２４ノー）、映像内容に変化も起きていない（ステップＳＴ２２６ノー）ときは、それまでのエンコードデータ量（フォーマッタ部６１９で圧縮されパック化されたデータ量）がバッファメモリ部６２０に一定量貯まったかどうかチェックされる（ステップＳＴ２２８）。バッファメモリ部６２０に貯まったエンコードデータ量が一定量に達していないときは（ステップＳＴ２２８ノー）、それが一定量に達するまでステップＳＴ２２２〜ＳＴ２２８の処理ループが反復される。
【０１７６】
バッファメモリ部６２０に貯まったエンコードデータ量が一定量に達すると（ステップＳＴ２２８イエス）、その一定量のデータ（パック）の書き込みアドレスおよびデータサイズがファイルシステムにより決定され、それがディスクドライブ部６０９によりディスク１００に書き込まれる（ステップＳＴ２３０）。
【０１７７】
この書き込み時に、ディスク１００に録画可能な残り容量があるかどうかのチェックが行われる（ステップＳＴ２３２）。ディスク１００に残り容量があれば（ステップＳＴ２３２ノー）、ステップＳＴ２２２に戻って、ステップＳＴ２２２〜ＳＴ２３０の処理が反復される。
【０１７８】
ディスク１００に残り容量がなければ（ステップＳＴ２３２イエス）、表示部６０８および／またはＴＶ６３７に「残り容量がありません」あるいは「録画スペースがありません」といった警告表示を出力し（ステップＳＴ２３４）、図２０の録画終了処理（ステップＳＴ１４０）に移行する。なお、ステップＳＴ２２２において録画終了キーの入力があった場合も（ステップＳＴ２２２イエス）、図２０の録画終了処理（ステップＳＴ１４０）に移行する。
【０１７９】
ステップＳＴ２２４において設定された最大録音時間まで経過したとき（ステップＳＴ２２４イエス）、あるいはステップＳＴ２２６において映像内容に変化が生じたときは（ステップＳＴ２２６イエス）、図１９のステップＳＴ２２０へ移行する。
【０１８０】
ステップＳＴ２２０では、オーディオエンコード部６１７にエンコード終了命令が発行される。すると、今までエンコードされたデータがバッファメモリ部６２０から読み出されてディスク１００に書き込まれる（その書き込みアドレスおよびデータサイズすなわち未記録の残りデータ量はファイルシステムにより決定される）。そして、ＶＯＢＵ（図３）のパック数などが、切り分け情報（ＶＯＢＩ情報）として、ワークＲＡＭ部６０４ａに保存される。さらに、１グループ内の静止画枚数上限到達、静止画の属性変化などにより新たなグループ化が必要となった場合は、ＶＯＧ分けが行われ、そのＶＯＧ情報（Ｓ＿ＶＯＧＩ）が作成されて、ワークＲＡＭ部６０４ａに保存される。
【０１８１】
その後、映像内容の変化が起きる（ステップＳＴ２３６イエス）まで待ち、映像内容に変化が起きた後さらに指定されたフレーム数が経過する（ステップＳＴ２３８イエス）まで待つ。そうしてから、図１８のステップＳＴ２１８に戻って、ステップＳＴ２２２〜ＳＴ２３２の処理ループにより、取り込んだスライドショーの静止画群をディスク１００に書き込むことになる。
【０１８２】
なお、ステップＳＴ２３６において映像内容変化を検知した後、ステップＳＴ２３８において同じ内容の映像フレームが所定数連続したかどうかをチェックし、同じ内容の映像フレームが所定数連続したら（ステップＳＴ２３８イエス）、図１８のステップＳＴ２１８に戻るように構成することもできる。
【０１８３】
図１８の処理において、録画終了キー入力があった場合（ステップＳＴ２２２イエス）あるいは「残り容量がありません」といった警告表示が出力（ステップＳＴ２３４）されたあと、図２０の録画終了処理（ステップＳＴ１４０）が実行されてから、図１８〜図２０の処理は終了する。
【０１８４】
この録画終了処理（ステップＳＴ１４０；図１４のＳＴ１４０に相当）において、
＊切り分け情報（Ｓ＿ＶＯＧＩ等）が構成され、
＊録画に使用したストリーム情報ＳＴＩがＶＭＧにあるかどうか調査され、ない場合は録画に使用したＳＴＩが登録され、ある場合は該当ＳＴＩ番号がＳ＿ＶＯＧＩに登録され、
＊フォーマッタ部６１９の初期化が行われ、
＊録画情報（ＰＧＣＩ設定、切り分け情報など）のＶＭＧファイルへの書き込み（ＶＭＧの更新）が行われる。
【０１８５】
以上述べた図１８〜図２０の処理により、ユーザに面倒な操作負担をかけずに、静止画の連続取り込みを容易に実現できる。
【０１８６】
図２１は、図１の装置による全体的な再生処理手順を説明するフローチャート図である。
【０１８７】
まず、図１のディスクドライブ部６０９に装填されたディスク１００がチェックされる（ステップＳＴ３００）。ディスク１００が不良である場合あるいは図１のシステムで対応できない規格のディスクである場合は（ステップＳＴ３００のＮＧ）、エラー処理が行われ（ステップＳＴ３０２）、図２１の処理は終了する。
【０１８８】
ディスク１００が正常である場合は（ステップＳＴ３００のＯＫ）、そのディスクにボリュームストラクチャが記録されているかどうかチェックされる（ステップＳＴ３０４）。ボリュームストラクチャが記録されている場合は（ステップＳＴ３０４イエス）、ＤＶＤ＿ＲＴＲディレクトリ（図２）の存在がチェックされる（ステップＳＴ３０６）。
【０１８９】
ＤＶＤ＿ＲＴＲディレクトリがない場合（ステップＳＴ３０６ノー）あるいはボリュームストラクチャが記録されていなかった場合（ステップＳＴ３０４ノー）は、「録画されていません」などのメッセージ表示がなされてから（ステップＳＴ３０８）、図２１の処理は終了する。
【０１９０】
ＤＶＤ＿ＲＴＲディレクトリがある場合は（ステップＳＴ３０６イエス）、エラー発生の有無がチェックされる（ステップＳＴ３１０）。エラーが発生したときは（ステップＳＴ３１０イエス）、「ファイルシステムでエラーが発生しました」などのメッセージ表示がなされてから（ステップＳＴ３１２）、図２１の処理は終了する。
【０１９１】
エラーがないときは（ステップＳＴ３１０ノー）、ディスク１００にＶＭＧファイルがあるかどうかチェックされる（ステップＳＴ３１４）。ＶＭＧファイルがあるときは（ステップＳＴ３１４イエス）そのＶＭＧファイルの内容が読み込まれ（ステップＳＴ３１８）、そこに図２に示すようなＶＲ＿ＭＯＶＩＥ．ＶＲＯ、ＶＲ＿ＳＴＩＬＬ．ＶＲＯ、ＶＲ＿ＡＵＤＩＯ．ＶＲＯなどのＶＲＯファイルがあるかどうかチェックされる（ステップＳＴ３２０）。
【０１９２】
ＶＲＯファイルがない場合（ステップＳＴ３２０ノー）あるいはＶＭＧファイルがなかった場合（ステップＳＴ３１４ノー）は、「録画されていません」などのメッセージ表示がなされてから（ステップＳＴ３１６）、図２１の処理は終了する。
【０１９３】
ＶＲＯファイルがある場合は（ステップＳＴ３２０イエス）、再生開始するプログラム番号およびセル番号がユーザなどにより選択されて決定される（ステップＳＴ３２２）。
【０１９４】
再生開始するプログラム番号およびセル番号が決定されると、図１のビデオデコード部６２８、ＳＰデコード部６２７、オーディオデコード部６３０それぞれの初期設定が行われる（ステップＳＴ３２４）。この初期設定において、ビデオデコード部６２８は、静止画再生モード（スチルピクチャモード）に設定され、ＳＴＣ部６５０を無視してＭＰＥＧビデオのＩピクチャ再生を行なうようになる。
【０１９５】
その後に静止画などのセル再生処理に入る（ステップＳＴ３３０）。このセル再生処理の詳細は、図２２および図２３を参照して後述する。
【０１９６】
セル再生が継続している間は（ステップＳＴ３３２ノー）、ＰＧＣＩより次の再生セルが設定されて（ステップＳＴ３３４）、ステップＳＴ３３０のセル再生処理が反復実行される。
【０１９７】
セル再生が終了すると（ステップＳＴ３３２イエス）、エラーの発生がチェックされる（ステップＳＴ３３６）。エラーがなければ（ステップＳＴ３３６ノー）その他の再生終了時の処理が行われてから（ステップＳＴ３３８）、図２１の処理は終了する。エラーがあった場合は（ステップＳＴ３３６イエス）、「読み出しエラーが発生しました」などのメッセージ表示がなされてから（ステップＳＴ３４０）、再生終了処理が実行されて（ステップＳＴ３４２）、その他の処理ルーチンにリターンする。
【０１９８】
図２２および図２３は、図２１の処理手順におけるセル再生時の処理（ステップＳＴ３３０）の具体的な処理内容を説明するフローチャート図である。
【０１９９】
図２２において、図４のＰＧＣＩおよび図７のＳ＿ＡＶＦＩＴの内容から、再生しようとするセルの開始位置（ＦＰ）が決定される（ステップＳＴ３３００）。この位置（ＦＰ）は、論理ブロック番号（ＬＢＮ）で表される。
【０２００】
このステップＳＴ３３００の処理において、再生を開始するビデオオブジェクトＶＯＢの番号がパラメータ“ｎ”に設定され、再生するビデオオブジェクトグループＶＯＧのストリーム情報ＳＴＩがワークＲＡＭ部６０４ａに読み込まれ、それらが各デコード部６２７〜６３０に設定される。
【０２０１】
次に再生しようとするＶＯＢに一時消去状態を示すテンポラリイレーズフラグがついており、そのフラグがオンになっているかどうかがチェックされる（ステップＳＴ３３０２）。このテンポラリイレーズフラグオンの状態は、たとえば該当ＶＯＢのファイルがごみ箱アイコンに捨てられた状態に対応する。
【０２０２】
テンポラリイレーズフラグオンのＶＯＢはまだ実際に消去された訳ではないが、再生対象からは外される。現在のＶＯＢのテンポラリイレーズフラグがオンであれば（ステップＳＴ３３０２イエス）、後述する図２３のステップＳＴ３３３６に処理がジャンプする。
【０２０３】
現在のＶＯＢのテンポラリイレーズフラグがオフであれば（ステップＳＴ３３０２ノー）、ＰＧＣＩおよびＳ＿ＡＶＦＩＴの内容（再生するＶＯＢ番号ｎとビデオ／オーディオの属性情報を含むストリーム情報ＳＴＩ）から、再生しようとするｎ番目のＶＯＢの開始位置（ＦＰ）が決定される（ステップＳＴ３３０４）。
【０２０４】
次に、決定されたｎ番目のＶＯＢのエントリタイプＶＯＢ＿ＥＮＴが、図８〜図１１のタイプＡ〜タイプＤのどれであるかの判定が行われる（ステップＳＴ３３１０）。
【０２０５】
ＶＯＢ＿ＥＮＴがタイプＡであれば、図示しないスチルタイム（静止画表示時間）の情報（ＳＴＩＬＬ＿ＴＭ）が図４（ａ）のＲＴＲ＿ＶＭＧＩから読み出されて設定され（ステップＳＴ３３１２）、ディスクドライブ部６０９にデータ読み出し命令がセットされる（ステップＳＴ３３２４）。
【０２０６】
ＶＯＢ＿ＥＮＴがタイプＢであれば、スチルタイムが０ｘＦＦＦＦ（オーディオ再生時間）に設定され、静止画に重畳されたオーディオが再生されるように設定される（ステップＳＴ３３１４）。そして、オーディオ開始の再生タイムスタンプＰＴＳがＳＴＣ部６５０に設定されてから（ステップＳＴ３３２２）、ディスクドライブ部６０９にデータ読み出し命令がセットされる（ステップＳＴ３３２４）。
【０２０７】
ＶＯＢ＿ＥＮＴがタイプＣのときは、スチルタイムが０ｘＦＦＦＦ（オーディオ再生時間）に設定され、アディショナルオーディオ（付加オーディオＡＡ）が再生されるように設定される（ステップＳＴ３３１６）。その際、該当ＶＯＢの転送終了アドレスがビデオパートのみとなるように設定される。その後、ステップＳＴ３３２２に処理が移行する。
【０２０８】
ＶＯＢ＿ＥＮＴがタイプＤのときは、まずアディショナルオーディオが選択されているかどうかがチェックされる（ステップＳＴ３３１８）。アディショナルオーディオが選択されているなら（ステップＳＴ３３１８イエス）、ステップＳＴ３３１６に処理が移行する。アディショナルオーディオが選択されていないなら（ステップＳＴ３３１８ノー）、スチルタイムが０ｘＦＦＦＦ（オーディオ再生時間）に設定され、静止画に重畳されたオーディオが再生されるように設定される（ステップＳＴ３３２０）。その後、ステップＳＴ３３２２に処理が移行する。
【０２０９】
図２２においてディスクドライブ部６０９にデータ読み出し命令がセットされると（ステップＳＴ３３２４）、処理は図２３のステップＳＴ３３２６に移行する。ステップＳＴ３３２６では、ディスクドライブ部６０９へのデータ転送が開始されたかどうかチェックされる。
【０２１０】
データ転送が開始されると（ステップＳＴ３３２６イエス）、アディショナルオーディオのデータも転送するかどうかのチェックが行われる（ステップＳＴ３３２８）。
【０２１１】
アディショナルオーディオのデータを転送する場合は（ステップＳＴ３３２８イエス）、ＰＧＣＩおよびＳ＿ＡＶＦＩＴの内容から、再生しようとするｎ番目のＶＯＢ＿ＥＮＴに付いているアディショナルオーディオ開始位置（ＦＰ）および終了位置（ＦＰ）が決定される（ステップＳＴ３３３０）。
【０２１２】
その後、開始位置（ＦＰ）および終了位置（ＦＰ）がファイルシステムにより物理アドレスに変換され、その物理アドレスデータに基づいて、ディスクドライブ部６０９にデータ読み出しの命令がセットされる（ステップＳＴ３３３２）。
【０２１３】
こうしてディスクドライブ部６０９により読み出されたデータの転送が終了すると（ステップＳＴ３３３４イエス）、キー入力部６０７あるいは図示しないリモートコントローラから何らかのユーザキー入力があったかどうかチェックされる（ステップＳＴ３３３６）。
【０２１４】
ユーザからストップキー入力があった場合は（ステップＳＴ３３３６イエス、ＳＴ３３３８イエス）、再生ストップの処理へリターンする。ユーザから何らキー入力がなく（ステップＳＴ３３３６ノー）、再生時間も終了していなければ（ステップＳＴ３３４２ノー）、ステップＳＴ３３３６およびＳＴ３３４２の処理ループが反復される。なお、ステップＳＴ３３４２における判定は、オーディオ再生時にはその再生時間が終了したかどうかで行われ、その他の再生時にはスチル時間（静止画再生時間）が終了したかどうかで行われる。
【０２１５】
一方、ユーザからストップキー入力でなくプレイキー入力があった場合（ステップＳＴ３３３６イエス、ＳＴ３３３８ノー、ＳＴ３３４０イエス）、あるいはステップＳＴ３３４２で再生時間が終了したときは（ステップＳＴ３３４２イエス）、図２２のステップＳＴ３３００で設定されたパラメータ“ｎ”がインクリメントされる（ステップＳＴ３３４４）。
【０２１６】
こうしてインクリメントされた“ｎ”がセル内の総ピクチャ数以内であれば（ステップＳＴ３３４６ノー）、図２２のステップＳＴ３３０２に戻って、ＳＴ３３０２〜ＳＴ３３４６の処理が反復される。
【０２１７】
一方、インクリメントされた“ｎ”がセル内の総ピクチャ数を超えると（ステップＳＴ３３４６イエス）、図２２および図２３の再生処理は終了し、その他の処理へリターンする。
【０２１８】
【発明の効果】
以上説明したように、この発明によれば、ユーザが１枚１枚の取り込み静止画を逐一選択・設定しなくても、ビデオ信号から複数静止画を簡単に連続取り込みできる静止画連続取込機能付きデジタル映像情報装置を得ることができる。
【０２１９】
また、ユーザが１枚１枚の取り込み静止画を逐一選択・設定しなくても、ビデオ信号から複数静止画を簡単に連続記録できる複数静止画記録方法を得ることができる。
【図面の簡単な説明】
【図１】この発明の一実施の形態に係る静止画連続取込機能付きデジタル映像情報装置（ＲＴＲ−ＤＶＤビデオレコーダ）の全体構成を説明するブロック図。
【図２】図１の情報媒体（ＤＶＤ−ＲＡＭ、ＤＶＤ−ＲＷ、ＤＶＤ−Ｒ、ＨＤＤ等）に記録されるデジタル情報ファイルのディレクトリ構造を説明する図。
【図３】図１の情報媒体（ＤＶＤ−ＲＡＭ、ＤＶＤ−ＲＷ、ＤＶＤ−Ｒ、ＨＤＤ等）に記録されるデジタル情報に含まれるビデオオブジェクトセット（ＶＯＢＳ）のデータ構造を説明する図。
【図４】図１の情報媒体（ＤＶＤ−ＲＡＭ、ＤＶＤ−ＲＷ、ＤＶＤ−Ｒ、ＨＤＤ等）で用いられる管理情報（ＶＭＧ／ＰＧＣＩ／ＣＩ）のデータ構造を説明する図。
【図５】図４の管理情報（ＣＩ）に含まれるセル一般情報Ｃ＿ＧＩの内容を説明する図。
【図６】図４の管理情報（ＣＩ）に含まれるセルエントリポイント情報Ｃ＿ＥＰＩの内容を説明する図。
【図７】図１の情報媒体（ＤＶＤ−ＲＡＭ、ＤＶＤ−ＲＷ、ＤＶＤ−Ｒ、ＨＤＤ等）で用いられる静止画の管理情報（ＶＭＧ／Ｓ＿ＡＶＦＩＴ／Ｓ＿ＡＶＦＩ／Ｓ＿ＶＯＧＩ）のデータ構造を説明する図。
【図８】図７の静止画管理情報（Ｓ＿ＶＯＧＩ）に含まれる静止画ビデオオブジェクトエントリＳ＿ＶＯＢ＿ＥＮＴ（タイプＡ）の内容を説明する図。
【図９】図７の静止画管理情報（Ｓ＿ＶＯＧＩ）に含まれる静止画ビデオオブジェクトエントリＳ＿ＶＯＢ＿ＥＮＴ（タイプＢ）の内容を説明する図。
【図１０】図７の静止画管理情報（Ｓ＿ＶＯＧＩ）に含まれる静止画ビデオオブジェクトエントリＳ＿ＶＯＢ＿ＥＮＴ（タイプＣ）の内容を説明する図。
【図１１】図７の静止画管理情報（Ｓ＿ＶＯＧＩ）に含まれる静止画ビデオオブジェクトエントリＳ＿ＶＯＢ＿ＥＮＴ（タイプＤ）の内容を説明する図。
【図１２】図７の静止画管理情報（Ｓ＿ＶＯＧＩ）に含まれる静止画ビデオオブジェクトグループ一般情報Ｓ＿ＶＯＧ＿ＧＩの内容を説明する図。
【図１３】図７の静止画管理情報（Ｓ＿ＡＶＦＩＴ）に含まれる静止画ビデオオブジェクトストリーム情報Ｓ＿ＶＯＢ＿ＳＴＩの内容を説明する図。
【図１４】図１の装置による全体的な録画処理手順を説明するフローチャート図。
【図１５】図１４の処理手順における録画前処理の内容を説明するフローチャート図。
【図１６】図１４の処理手順におけるＶＯＧ情報作成処理の内容を説明するフローチャート図。
【図１７】図１４の処理手順における録画後処理の内容を説明するフローチャート図。
【図１８】図１の装置による静止画連続取り込み録画の処理手順（その１）を説明するフローチャート図。
【図１９】図１の装置による静止画連続取り込み録画の処理手順（その２）を説明するフローチャート図。
【図２０】図１の装置による静止画連続取り込み録画の処理手順（その３）を説明するフローチャート図。
【図２１】図１の装置による全体的な再生処理手順を説明するフローチャート図。
【図２２】図２１の処理手順におけるセル再生時の処理手順（その１）を説明するフローチャート図。
【図２３】図２１の処理手順におけるセル再生時の処理手順（その２）を説明するフローチャート図。
【符号の説明】
１００…光ディスク／情報記憶媒体（ＤＶＤ−ＲＡＭ、ＤＶＤ−ＲＷ、ＤＶＤ−Ｒその他の録再可能情報媒体）；
６０１…エンコーダ部；
６０２…デコーダ部；
６０４…メインＭＰＵ部；
６０４ａ…ワークＲＡＭ部；
６０４ｂ…漢字ＲＯＭ（キャラクタＲＯＭ）部；
６０４ｃ…プログラムＲＯＭ部；
６０４１…ディレクトリ検知部；
６０４３…ビデオオブジェクトグループ化（ＶＯＧ化）部；
６０５…ビデオミキシング部；
６０６…フレームメモリ部；
６０７…キー入力部；
６０８…表示部；
６０９…ディスクドライブ部；
６１０…データプロセサ（Ｄ−ＰＲＯ）部；
６１１…一時記憶（バッファ）部；
６１２…Ａ／Ｖ入力部；
６１３…ＴＶチューナ部；
６１４…Ａ／Ｄ変換部；
６１６…ビデオエンコード部；
６１７…オーディオエンコード部；
６１８…副映像（サブピクチャＳＰ）エンコード部；
６１９…フォーマッタ部；
６２０…バッファメモリ部；
６２５…分離部；
６２６…メモリ；
６２７…副映像（ＳＰ）デコード部；
６２８…ビデオデコード部；
６２８ａ…縮小画像（サムネールピクチャ）生成部；
６３０…オーディオデコード部；
６３１…デジタル出力Ｉ／Ｆ（オーディオ用）；
６３２…Ｄ／Ａ変換部（オーディオ用）；
６３３…外部スピーカ；
６３４…デジタル出力Ｉ／Ｆ（ビデオ用）；
６３６…Ｄ／Ａ変換部（ビデオ用）；
６３７…外部モニタＴＶ；
６３８…ビデオプロセサ（Ｖ−ＰＲＯ）部；
６５０…システムタイムクロック（ＳＴＣ）部；
７００…ハードディスクドライブ（ＨＤＤ）レコーダユニット。
【図１】
0003615136.tif 000002
【図２】
0003615136.tif 000003
【図３】
0003615136.tif 000004
【図４】
0003615136.tif 000005
【図５】
0003615136.tif 000006
【図６】
0003615136.tif 000007
【図７】
0003615136.tif 000008
【図８】
0003615136.tif 000009
【図９】
0003615136.tif 000010
【図１０】
0003615136.tif 000011
【図１１】
0003615136.tif 000012
【図１２】
0003615136.tif 000013
【図１３】
0003615136.tif 000014
【図１４】
0003615136.tif 000015
【図１５】
0003615136.tif 000016
【図１６】
0003615136.tif 000017
【図１７】
0003615136.tif 000018
【図１８】
0003615136.tif 000019
【図１９】
0003615136.tif 000020
【図２０】
0003615136.tif 000021
【図２１】
0003615136.tif 000022
【図２２】
0003615136.tif 000023
【図２３】
0003615136.tif 000024